(57)【要約】  本発明は、ＩＰフロールーティングルールの決定方法及び装置を開示し、ネットワーク装置と端末間の協議により、最適なルーティングルールを案出する。前記方法は、第１通信装置は、ＩＦＯＭを開始させる間に、第２通信装置が現在執行するルーティングルールと異なる第１ルーティングルールを生成するステップと、第１通信装置は、当該第１ルーティングルールを第２通信装置に通知して、第２通信装置が当該第１ルーティングルールを執行させるようにリクエストするステップと、第１通信装置は、第２通信装置からフィードバックされたメッセージに基づき、第２通信装置が最終的に執行するルーティングルールを決定するステップとを備える。【選択図】図１
2017511675.tif 000002
【特許請求の範囲】
【請求項１】
第１通信装置は、インターネットプロトコルフローモビリティ（ＩＦＯＭ）を開始させる間、第２通信装置のために、前記第２通信装置により執行されるルーティングルールと異なる第１ルーティングルールを生成するステップと、
前記第１通信装置は、前記第１ルーティングルールを第２通信装置に通知して、前記第２通信装置が前記第１ルーティングルールを執行するようにリクエストするステップと、
前記第１通信装置は、前記第２通信装置からフィードバックされたメッセージに基づき、前記第２通信装置が最終的に執行するルーティングルールを決定するステップと
を備えことを特徴とするＩＰフロールーティングルールの決定方法。
【請求項２】
前記第１通信装置は、前記第２通信装置からフィードバックされたメッセージに基づき、前記第２通信装置が最終的に執行するルーティングルールを決定するステップは、
前記第１通信装置は、前記第２通信装置からフィードバックされた第１メッセージを受信した後、前記第２通信装置が最終的に執行するルーティングルールを、前記第１ルーティングルールとして決定するステップを備え、
前記第１メッセージは、前記第２通信装置が前記第１ルーティングルールを認めることを前記第１通信装置に通知するのに用いられることを特徴とする請求項１に記載のＩＰフロールーティングルールの決定方法。
【請求項３】
前記第１通信装置が、前記第２通信装置からフィードバックされたメッセージに基づき、前記第２通信装置が最終的に執行するルーティングルールを決定するステップは、
前記第１通信装置は、前記第２通信装置からフィードバックされた第２メッセージを受信するステップと、
前記第１通信装置は、前記第２メッセージに埋め込まれた情報に基づき、前記第２通信装置のために、前記第１ルーティングルールと異なる第２ルーティングルールを生成するステップと、
前記第１通信装置は、前記第２ルーティングルールを第２通信装置に通知して、前記第２通信装置が前記第２ルーティングルールを執行するようにリクエストするステップと、
前記第１通信装置は、前記第２通信装置からフィードバックされた第３メッセージを受信し、前記第２通信装置が最終的に執行するルーティングルールを前記第２ルーティングルールとして決定するステップと、
を備え、
前記第２メッセージは、前記第２通信装置が前記第１ルーティングルールを認めないことを前記第１通信装置に通知するのに用いられ、
前記第２メッセージには現在のネットワークの状態情報及び/または前記ＩＰフローの特性情報が埋め込まれ、
前記第３メッセージは、前記第２通信装置が前記第２ルーティングルールを認めることを前記第１通信装置に通知するのにもちいられることを特徴とする請求項１に記載のＩＰフロールーティングルールの決定方法。
【請求項４】
前記第１通信装置が、前記第２メッセージに埋め込まれた情報に基づき、前記第２通信装置のために前記第２ルーティングルールを生成するステップは、
前記第１通信装置は、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成するステップを備えることを特徴とする請求項３に記載のＩＰフロールーティングルールの決定方法。
【請求項５】
第１通信装置が、ＩＦＯＭを開始させる間に、第２通信装置のために、前記第２通信装置により執行されるルーティングルールと異なる第１ルーティングルールを生成するステップは、
前記第１通信装置は、ＩＦＯＭを開始させる間に、現在のネットワークの状態情報及び/またはＩＰフローの特性情報に基づき、前記第２通信装置のために前記第１ルーティングルールを生成するステップを備えることを特徴とする請求項１に記載のＩＰフロールーティングルールの決定方法。
【請求項６】
前記第１通信装置が、前記第１ルーティングルールを前記第２通信装置に通知するステップは、
前記第１通信装置は、前記第１ルーティングルール及び現在のネットワークの状態情報及び/または前記ＩＰフローの特性情報を、前記第２通信装置に通知するステップを備えることを特徴とする請求項１に記載のＩＰフロールーティングルールの決定方法。
【請求項７】
前記第１通信装置が、前記第２通信装置からフィードバックされたメッセージに基づき、前記第２通信装置が最終的に執行するルーティングルールを決定するステップは、
前記第１通信装置は、前記第２通信装置からフィードバックされた第４メッセージを受信するステップと、
前記第１通信装置は、前記第２通信装置が最終的に執行するルーティングルールを前記第３ルーティングルールとして決定するステップと
を備え、
前記第４メッセージは、前記第２通信装置が前記第１ルーティングルールを認めないことを前記第１通信装置に通知するのに用いられ、前記第４メッセージには前記第２通信装置により生成された第３ルーティングルールが埋め込まれ、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものであることを特徴とする請求項１に記載のＩＰフロールーティングルールの決定方法。
【請求項８】
前記ＡＮＤＳＦポリシーには、上り回線のルーティングルールと、下り回線のルーティングルールとが含まれ、
前記上り回線のルーティングルールは、ＵＥ側が一定のトラフィックフィルタを満足するアップリンクＩＰフローをルーティングするアクセス技術及び/またはアクセスネットワークを示し、
前記下り回線のルーティングルールは、ＰＤＮゲートウェイＰＧＷ側が一定のトラフィックフィルタを満足するダウンリンクＩＰフローをルーティングするアクセス技術及び/またはアクセスネットワークを示し、
及び/または、
前記ＡＮＤＳＦポリシーのルーティングルールには、ＩＰフローが現在のネットワークを経由して伝送されるのに必要とする条件が含まれることを特徴とする請求項４に記載のＩＰフロールーティングルールの決定方法。
【請求項９】
ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含むことを特徴とする請求項８に記載のＩＰフロールーティングルールの決定方法。
【請求項１０】
第２通信装置は、第１通信装置から通知された前記第２通信装置により執行されるルーティングルールと異なる第１ルーティングルールを受信するステップと、
前記第２通信装置は、一定の条件により、前記第１ルーティングルールを認めるか否かを判断するステップと、
前記第２通信装置は、判断結果により、前記第１通信装置へ異なるメッセージをフィードバックするステップと
を備えることを特徴とするＩＰフロールーティングルールの決定方法。
【請求項１１】
前記第２通信装置が、一定の条件により、前記第１ルーティングルールを認めるか否かを判断して、判断結果により、前記第１通信装置へ異なるメッセージをフィードバックするするステップは、
前記第２通信装置は、現在のネットワークの状態情報及び/または前記ＩＰフローの特性情報に基づき、前記第１ルーティングルールを認めるか否かを判断するステップと、
前記第１ルーティングルールを認めると判断した後、前記第２通信装置は、前記第１通信装置へ第１メッセージをフィードバックして前記第１ルーティングルールを執行するステップと、前記第１ルーティングルールを認めないと判断した後、前記第２通信装置は、前記第１通信装置へ第２メッセージをフィードバックステップと
を備え、
前記第１メッセージは、前記第２通信装置が前記第１ルーティングルールを認めることを前記第１通信装置に通知するのに用いられ、
前記第２メッセージは、前記第２通信装置が前記第１ルーティングルールを認めないことを前記第１通信装置に通知するのに用いられ、
前記第２メッセージには現在のネットワークの状態情報及び/または前記ＩＰフローの特性情報が埋め込まれることを特徴とする請求項１０に記載のＩＰフロールーティングルールの決定方法。
【請求項１２】
前記第２通信装置が、前記第１通信装置へ前記第２メッセージをフィードバックした後、前記方法は、
前記第２通信装置は、前記第１通信装置から通知された第２ルーティングルールを受信して前記第２ルーティングルールを執行するステップをさらに備え、
前記第２ルーティングルールは、前記第１通信装置が前記第２メッセージに埋め込まれた情報に基づき、生成されたものであることを特徴とする請求項１１に記載のＩＰフロールーティングルールの決定方法。
【請求項１３】
前記第２通信装置は、一定の条件により、前記第１ルーティングルールを認めるか否かを判断して、判断結果により、前記第１通信装置へ異なるメッセージをフィードバックするステップは、
前記第２通信装置は、現在のネットワークの状態情報及び/またはＩＰフローの特性情報に基づき、前記第１ルーティングルールを認めるか否かを判断するステップと、
前記第１ルーティングルールを認めると判断した後、前記第２通信装置は、前記第１通信装置へ第１メッセージをフィードバックして前記第１ルーティングルールを執行するステップと、
前記第１ルーティングルールを認めないと判断した後、前記第２通信装置は、現在のネットワークの状態情報及び/またはＩＰフローの特性情報に基づき、自分のために第３ルーティングルールを生成して、前記第３ルーティングルールを執行し、前記第１通信装置に第３メッセージをフィードバックするステップと
を備え、
前記第１メッセージは、前記第２通信装置が前記第１ルーティングルールを認めることを前記第１通信装置に通知するのに用いられ、
前記第３メッセージは、前記第２通信装置が前記第１ルーティングルールを認めないことを前記第１通信装置に通知するのに用いられ、
前記第３メッセージには前記第３ルーティングルールが埋め込まれることを特徴とする請求項１０に記載のＩＰフロールーティングルールの決定方法。
【請求項１４】
前記第２通信装置が、現在のネットワークの状態情報及び/またはＩＰフローの特性情報に基づき、自分のために前記第３ルーティングルールを生成するステップは、
前記第２通信装置は、ＡＮＤＳＦポリシー、ユーザーの好み、及びロカール操作環境情報のうちの少なくとも１つの情報、及び現在のネットワークの状態情報及び/またはＩＰフローの特性情報に基づき、自分のために前記第３ルーティングルールを生成するステップを備えることを特徴とする請求項１３に記載のＩＰフロールーティングルールの決定方法。
【請求項１５】
前記ＡＮＤＳＦポリシーには、上り回線のルーティングルールと、下り回線のルーティングルールとが含まれ、
前記上り回線のルーティングルールは、ＵＥ側が一定のトラフィックフィルタを満足するアップリンクＩＰフローをルーティングするアクセス技術及び/またはアクセスネットワークを示し、
前記下り回線のルーティングルールは、ＰＤＮゲートウェイＰＧＷ側が一定のトラフィックフィルタを満足するダウンリンクＩＰフローをルーティングするアクセス技術及び/またはアクセスネットワーク示し、
及び/または、
前記ＡＮＤＳＦポリシーのルーティングルールには、ＩＰフローが現在のネットワークを経由して伝送されるのに必要とする条件が含まれることを特徴とする請求項１４に記載のＩＰフロールーティングルールの決定方法。
【請求項１６】
ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含むことを特徴とする請求項１５に記載のＩＰフロールーティングルールの決定方法。
【請求項１７】
ＩＦＯＭを開始させる間に、第２通信装置のために、前記第２通信装置により執行されるルーティングルールと異なる第１ルーティングルールを生成するルーティングルール生成モジュールと、
前記第１ルーティングルールを第２通信装置に通知して、前記第２通信装置が前記第１ルーティングルールを執行するようにリクエストする通知モジュールと、
前記第２通信装置からフィードバックされたメッセージに基づき、前記第２通信装置が最終的に執行するルーティングルールを決定する処理モジュールと
を備えることを特徴とする通信装置。
【請求項１８】
前記処理モジュールは、前記第２通信装置からフィードバックされた第１メッセージを受信した後、前記第２通信装置が最終的に執行するルーティングルールを、前記第１ルーティングルールとして決定し、
前記第１メッセージは、前記第２通信装置が前記第１ルーティングルールを認めることを、前記通信装置に通知するのに用いられることを特徴とする請求項１７に記載の通信装置。
【請求項１９】
前記処理モジュールは、前記第２通信装置からフィードバックされた第２メッセージを受信し、前記第２メッセージに埋め込まれた情報に基づき、前記第２通信装置のために、前記第１ルーティングルールと異なる第２ルーティングルールを生成し、前記第２ルーティングルールを第２通信装置に通知して、前記第２通信装置が前記第２ルーティングルールを執行するようにリクエストし、また、前記第２通信装置からフィードバックされた第３メッセージを受信し、前記第２通信装置が最終的に執行するルーティングルールを前記第２ルーティングルールとして決定し、
前記第２メッセージは、前記第２通信装置が前記第１ルーティングルールを認めないことを、前記通信装置に通知するのに用いられ、
前記第２メッセージには現在のネットワークの状態情報及び/または前記ＩＰフローの特性情報が埋め込まれ、
前記第３メッセージは、前記第２通信装置が前記第２ルーティングルールを認めることを、前記通信装置に通知するのに用いられることを特徴とする請求項１７に記載の通信装置。
【請求項２０】
前記処理モジュールが、前記第２メッセージに埋め込まれた情報に基づき、前記第２通信装置のために前記第２ルーティングルールを生成するのは、
アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成することであることを特徴とする請求項１９に記載の通信装置。
【請求項２１】
前記ルーティングルール生成モジュールは、ＩＦＯＭを開始させる間に、現在のネットワークの状態情報及び/またはＩＰフローの特性情報に基づき、前記第２通信装置のために前記第１ルーティングルールを生成することを特徴とする請求項１７に記載の通信装置。
【請求項２２】
前記通知モジュールは、前記第１ルーティングルール及び現在のネットワークの状態情報及び/または前記ＩＰフローの特性情報を、前記第２通信装置に通知することを特徴とする請求項１７に記載の通信装置。
【請求項２３】
前記処理モジュールは、
前記第２通信装置からフィードバックされた第４メッセージを受信し、また、前記第２通信装置が最終的に執行するルーティングルールを前記第３ルーティングルールとして決定し、
前記第４メッセージは、前記第２通信装置が前記第１ルーティングルールを認めないことを、前記通信装置に通知するのに用いられ、
前記第４メッセージには前記第２通信装置により生成された第３ルーティングルールが埋め込まれ、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものであることを特徴とする請求項１７に記載の通信装置。
【請求項２４】
第１通信装置から通知された、前記通信装置が現在に執行するルーティングルールと異なる第１ルーティングルールを受信する受信モジュールと、
一定の条件により、前記第１ルーティングルールを認めるか否かを判断して、前記判断モジュールの判断結果により、前記第１通信装置へ異なるメッセージをフィードバックする処理モジュールとを備えることを特徴とする通信装置。
【請求項２５】
前記処理モジュールは、
現在のネットワークの状態情報及び/または前記ＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、
前記第１ルーティングルールを認めないと判断した後、前記第１通信装置へ第２メッセージをフィードバックし、
前記第１メッセージは、前記通信装置が前記第１ルーティングルールを認めることを、前記第１通信装置に通知するのに用いられ、
前記第２メッセージは、前記通信装置が前記第１ルーティングルールを認めないことを、前記第１通信装置に通知するのに用いられ、かつ、前記第２メッセージには現在のネットワークの状態情報及び/または前記ＩＰフローの特性情報が埋め込まれることを特徴とする請求項２４に記載の通信装置。
【請求項２６】
前記受信モジュールは、前記第１通信装置から通知された第２ルーティングルールを受信して前記第２ルーティングルールを執行し、
前記第２ルーティングルールは、前記第１通信装置が前記第２メッセージに埋め込まれた情報に基づき、生成されたものであることを特徴とする請求項２５に記載の通信装置。
【請求項２７】
前記処理モジュールは、
現在のネットワークの状態情報及び/またはＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、
前記第１ルーティングルールを認めないと判断した後、前記現在のネットワークの状態情報及び/またはＩＰフローの特性情報に基づき、自分のために第３ルーティングルールを生成して、前記第３ルーティングルールを執行し、前記第１通信装置に第３メッセージをフィードバックし、
前記第１メッセージは、前記通信装置が前記第１ルーティングルールを認めることを、前記第１通信装置に通知するのに用いられ、
前記第３メッセージは、前記通信装置が前記第１ルーティングルールを認めないことを、前記第１通信装置に通知するのに用いられ、かつ前記第３メッセージには前記第３ルーティングルールが埋め込まれることを特徴とする請求項２４に記載の通信装置。
【請求項２８】
前記処理モジュールが現在のネットワークの状態情報及び/またはＩＰフローの特性情報に基づき、自分のために前記第３ルーティングルールを生成するのは、
ＡＮＤＳＦポリシー、ユーザーの好み、及びロカール操作環境情報のうちの少なくとも１つの情報、及び前記現在のネットワークの状態情報及び/またはＩＰフローの特性情報に基づき、自分のために前記第３ルーティングルールを生成することであることを特徴とする請求項２７に記載の通信装置。
【請求項２９】
送受信機と、前記送受信機接続する少なくとも１つのプロセッサとを備え、
前記プロセッサは、ＩＦＯＭを開始させる間に、ネットワーク装置が現在執行するルーティングルールと異なる第１ルーティングルールを生成し、また、ネットワーク装置からフィードバックされたメッセージに基づき、ネットワーク装置が最終的に執行するルーティングルールを決定し、前記送受信機は、前記プロセッサにより生成された第１ルーティングルールを前記ネットワーク装置に通知して、前記ネットワーク装置が前記第１ルーティングルールを執行するようにリクエストし、また、ネットワーク装置からフィードバックされたメッセージを受信し、
または、
前記プロセッサは、現在のネットワークの状態情報及び/またはＩＰフローの特性情報に基づき、前記第１ルーティングルールを認めるか否かを判断する；前記第１ルーティングルールを認めると判断した後、前記第１ルーティングルールを執行し、送受信機をトリガーしてネットワーク装置へ第１メッセージをフィードバックさせ、
前記第１ルーティングルールを認めないと判断した後、現在のネットワークの状態情報及び/またはＩＰフローの特性情報に基づき、自分のために第３ルーティングルールを生成して、前記第３ルーティングルールを執行し、送受信機が前記ネットワーク装置に第３メッセージをフィードバックするようにトリガーし、
前記第１メッセージは、前記ＵＥが前記第１ルーティングルールを認めることを、前記ネットワーク装置に通知するのに用いられ、
前記第３メッセージは、前記ＵＥが前記第１ルーティングルールを認めないことを、前記ネットワーク装置に通知するのに用いられる、前記第３メッセージには前記第３ルーティングルールが埋め込まれることを特徴とするＵＥ。
【請求項３０】
前記プロセッサは、前記送受信機が前記ネットワーク装置からフィードバックされた第１メッセージを受信した後、前記ネットワーク装置が最終的に執行するルーティングルールを前記第１ルーティングルールとして決定し、
前記第１メッセージは、前記ネットワーク装置が前記第１ルーティングルールを認めることを、前記ＵＥに通知するのに用いられることを特徴とする請求項２９に記載のＵＥ。
【請求項３１】
前記プロセッサは、送受信機が前記ネットワーク装置からフィードバックされた第２メッセージを受信した後、前記第２メッセージに埋め込まれた情報に基づき、前記ネットワーク装置のために前記第１ルーティングルールと異なる第２ルーティングルールを生成し、前記第２メッセージは、前記ネットワーク装置が前記第１ルーティングルールを認めないことを、前記ＵＥに通知するのに用いられ、かつ、前記第２メッセージには現在のネットワークの状態情報及び/または前記ＩＰフローの特性情報が埋め込まれ、
前記送受信機は、前記第２ルーティングルールを前記ネットワーク装置に通知して、前記ネットワーク装置が前記第２ルーティングルールを執行するようにリクエストし、
前記送受信機は、前記第２ルーティングルールを前記ネットワーク装置に送信した後、前記ネットワーク装置からフィードバックされた第３メッセージを受信し、前記第３メッセージは、前記ネットワーク装置が前記第２ルーティングルールを認めることを、前記ＵＥに通知するのに用いられ、
また、前記プロセッサは、前記ネットワーク装置が最終的に執行するルーティングルールを前記第２ルーティングルールとして決定することを特徴とする請求項２９に記載のＵＥ。
【請求項３２】
前記プロセッサが前記第２メッセージに埋め込まれた情報に基づき、前記ネットワーク装置のために前記第２ルーティングルールを生成するのは、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記ネットワーク装置のために前記第２ルーティングルールを生成することを特徴とする請求項３１に記載のＵＥ。
【請求項３３】
前記プロセッサが、現在のネットワークの状態情報及び/またはＩＰフローの特性情報に基づき、自分のために前記第３ルーティングルールを生成するのは、ＡＮＤＳＦポリシー、ユーザーの好み、及びロカール操作環境情報のうちの少なくとも１つの情報、及び現在のネットワークの状態情報及び/またはＩＰフローの特性情報に基づき、自分のために前記第３ルーティングルールを生成することを特徴とする請求項３０に記載のＵＥ。
【請求項３４】
送受信機と、前記送受信機接続する少なくとも１つのプロセッサとを備え、
前記プロセッサは、現在のネットワークの状態情報及び/または前記ＩＰフローの特性情報に基づき、前記第１ルーティングルールを認めるか否かを判断し、前記第１ルーティングルールを認めると判断した後、前記第１ルーティングルールを執行し、送受信機をトリガーして、ＵＥへ第１メッセージをフィードバックさせ、前記第１ルーティングルールを認めないと判断した後、送受信機が前記ＵＥに第２メッセージをフィードバックするようにトリガーし、
前記第１メッセージは、前記ネットワーク装置が前記第１ルーティングルールを認めることを、前記ＵＥに通知するのに用いられ、
前記第２メッセージは、前記ネットワーク装置が前記第１ルーティングルールを認めないことを、前記ＵＥに通知するのに用いられ、
前記第２メッセージには現在のネットワークの状態情報及び/または前記ＩＰフローの特性情報が埋め込まれ、
前記送受信機は、前記ＵＥから通知された第２ルーティングルールを受信し、
前記第２ルーティングルールは、前記ＵＥが前記第２メッセージに埋め込まれた情報に基づいて生成されたものであり、
前記プロセッサは、前記第２ルーティングルールを執行し、
または、
前記プロセッサは、ＩＦＯＭを開始させる間に、ＵＥのために、前記ＵＥが現在執行するルーティングルールと異なる第１ルーティングルールを生成し、また、前記ＵＥからフィードバックされたメッセージに基づき、前記ＵＥが最終に執行するルーティングルールを決定し、
前記送受信機は、前記第１ルーティングルールをＵＥに通知して、前記ＵＥが前記第１ルーティングルールを執行するようにリクエストすることを特徴とするネットワーク装置。
【請求項３５】
前記プロセッサは、ＩＦＯＭを開始させる間に、現在のネットワークの状態情報及び/またはＩＰフローの特性情報に基づき、前記ＵＥのために前記第１ルーティングルールを生成し、
前記送受信機は、前記第１ルーティングルール及び現在のネットワークの状態情報及び/または前記ＩＰフローの特性情報を、前記ＵＥに通知することを特徴とする請求項３４に記載のネットワーク装置。
【請求項３６】
前記プロセッサは、送受信機が前記ＵＥからフィードバックされた第１メッセージを受信した後、前記ＵＥが最終に執行するルーティングルールを前記第１ルーティングルールとして決定し、
前記第１メッセージは、前記ＵＥが前記第１ルーティングルールを認めることを、前記ネットワーク装置に通知するのに用いられることを特徴とする請求項３４に記載のネットワーク装置。
【請求項３７】
前記送受信機は、前記ＵＥからフィードバックされた第４メッセージを受信し、前記第４メッセージは、前記ＵＥが前記第１ルーティングルールを認めないことを、前記ネットワーク装置に通知するのに用いられる、前記第４メッセージには、前記ＵＥにより生成した第３ルーティングルールが埋め込まれ、
前記プロセッサは、前記ＵＥが最終に執行するルーティングルールを前記第３ルーティングルールとして決定し、
前記第３ルーティングルールは、前記ＵＥが前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものであることを特徴とする請求項３４に記載のネットワーク装置。
【発明の詳細な説明】
【技術分野】
【０００１】
本発明は通信技術分野に関し、特にＩＰフロールーティングルールの決定方法及び装置に関する。
【背景技術】
【０００２】
ＩＦＯＭ（ＩＰ Ｆｌｏｗ Ｍｏｂｉｌｉｔｙ， Ｉｎｔｅｒｎｅｔ Ｐｒｏｔｏｃｏｌ，ＩＰ）技術の研究内容としては、ＵＥ（Ｕｓｅｒ Ｅｑｕｉｐｍｅｎｔ）が多様なアクセスにより同一のＰＤＮ（Ｐａｃｋｅｔ Ｄａｔａ Ｎｅｔｗｏｒｋ）接続と接続する場合の、ＩＰフロー在異なるアクセスの間のＩＰフローの伝送及び移動の方法である。例えば、運営者は、ｂｅｓｔ ｅｆｆｏｒｔ ＩＰフロー（ベスト エフォートＩＰフロー）がＷＬＡＮ（Ｗｉｒｅｌｅｓｓ Ｌｏｃａｌ Ａｒｅａ Ｎｅｔｗｏｒｋｓ）により分岐することで、特定ＱｏＳ（Ｑｕａｌｉｔｙ ｏｆ Ｓｅｒｖｉｃｅ）に求められる、ＩＰフローがＥ−ＵＴＲＡＮ（Ｅｖｏｌｖｅｄ ＵＭＴＳ Ｔｅｒｒｅｓｔｒｉａｌ Ｒａｄｉｏ Ａｃｃｅｓｓ Ｎｅｔｗｏｒｋ，Ｅ−ＵＴＲＡＮ；Ｕｎｉｖｅｒｓａｌ Ｍｏｂｉｌｅ Ｔｅｌｅｃｏｍｍｕｎｉｃａｔｉｏｎｓ Ｓｙｓｔｅｍ，ＵＭＴＳ）アクセスにより伝送することができるように規定する。
【０００３】
３ＧＰＰ（Ｔｈｅ ３ｒｄ Ｇｅｎｅｒａｔｉｏｎ Ｐａｒｔｎｅｒｓｈｉｐ）ＳＡ２（Ｓｙｓｔｅｍ Ａｒｃｈｉｔｅｃｔｕｒｅ Ｗｏｒｋｉｎｇ Ｇｒｏｕｐ ２，）はリリース１０（Release １０，R１０）からＩＦＯＭに対して研究及び標準化を行って、端末モビリティ・マネジメントプロトコルをベースとするＩＦＯＭの標準化を完成し、かつR１１（R１２未研究）においてネットワークモビリティ・マネジメントプロトコルをベースとするＩＦＯＭに対して第１段階の研究を行った。
【０００４】
（一）端末モビリティ・マネジメントプロトコルをベースとするＩＦＯＭ手段
TS ２３.２６１には于デュアルスタックモバイルIPリリース６（Ｄｕａｌ Ｓｔａｃｋ Ｍｏｂｉｌｅ ＩＰ ｖｅｒｓｉｏｎ ６， ＤＳＭＩＰｖ６）プロトコル（S２cインタフェース）をベースとするＩＦＯＭ方法が定義されている。当該方法はＩＰフローバインディング情報に基づき、ＩＰフローのモビリティを実現する。ＩＰフローバインディング情報表は表１に示すようである。
【０００５】
【表１】
2017511675.tif 000003
【０００６】
ここで、ホーム・アドレス（Ｈｏｍｅ  Ａｄｄｒｅｓｓ，ＨｏＡ）はＰＤＮゲートウェイ（Ｐａｃｋｅｔ Ｄａｔａ Ｎｅｔｗｏｒｋ Ｇａｔｅｗａｙ，ＰＧＷ）がＵＥのために割り当てたIPアドレスであり、ルーティングアドレス（Ｒｏｕｔｉｎｇ Ａｄｄｒｅｓｓ）ＣｏＡ（ケアオブアドレス，Ｃａｒｅ ｏｆ Ａｄｄｒｅｓｓ）は、ＵＥがｎｏｎ−３ＧＰＰ（非３ＧＰＰ）側で利用するIPアドレスである。バインディングＩＤ（Ｂｉｎｄｉｎｇ ＩＤ，ＢＩＤ）は、ＵＥが各各ＣｏＡのために生成したＩＰフローバインディング識別子であり、かつプライオリティ（Ｐｒｉｏｒｉｔｙ）を有する。フロー識別子（Ｆｌｏｗ ＩＤ，ＦＩＤ）はルーティングルール（ｒｏｕｔｉｎｇ ｒｕｌｅ）を定義し、ルーティングフィルター（ｒｏｕｔｉｎｇ filter）及びルーティングアドレス（ｒｏｕｔｉｎｇ ａｄｄｒｅｓｓ）を含み、ここで、ｒｏｕｔｉｎｇ ａｄｄｒｅｓｓはＨｏＡまたはＣｏＡである。
【０００７】
ＵＥは、３ＧＰＰアクセス及びｎｏｎ−３ＧＰＰアクセスにより、同一のＰＤＮ接続に接続され、かつＩＰフロー移動を決める場合、バインディング・アップデート（Ｂｉｎｄｉｎｇ Ｕｐｄａｔｅ，ＢＵ）メッセージに基づき、PDNゲートウェイ（ＰＤＮ Ｇａｔｅｗａｙ，ＰＧＷ）に、移動するＩＰフロー情報を示す。具体的には、ＵＥは、BUメッセージに基づき、ＰＧＷにアップデートされたｒｏｕｔｉｎｇ ｒｕｌｅを示す。ＰＧＷは、ＩＰ接続アクセスネットワークセッション修正リクエスト（ＩＰ−ＣＡＮ ｓｅｓｓｉｏｎ ｍｏｄｉｆｉｃａｔｉｏｎ ｒｅｑＵＥｓｔ；ＩＰ Ｃｏｎｎｅｃｔｉｖｉｔｙ Ａｃｃｅｓｓ Ｎｅｔｗｏｒｋ，ＩＰ−ＣＡＮ）メッセージに基づき、受信したｒｏｕｔｉｎｇ ｒｕｌｅをポリシー制御及び課金ルール機能（Ｐｏｌｉｃｙ Ｃｏｎｔｒｏｌ ａｎｄ Ｃｈａｒｇｉｎｇ Ｒｕｌｅｓ Ｆｕｎｃｔｉｏｎ，ＰＣＲＦ）エンティティに提供する。ＰＣＲＦエンティティは、受信したｒｏｕｔｉｎｇ ａｄｄｒｅｓｓ及びサビースデータフロー（Ｓｅｒｖｉｃｅ Ｄａｔａ Ｆｌｏｗ，ＳＤＦ）のマッピングを格納して、ＰＣＲＦエンティティにＩＰ−ＣＡＮセッション修正応答（ＩＰ−ＣＡＮ ｓｅｓｓｉｏｎ ｍｏｄｉｆｉｃａｔｉｏｎ ｒｅｓｐｏｎｓｅ）メッセージをフィードバックする。ＰＧＷはバインディング応答（Ｂｉｎｄｉｎｇ Ａｃｋｎｏｗｌｅｄｇｅｍｅｎｔ，ＢＡ）メッセージに基づき、ＵＥに、ネットワークに取り組んだｒｏｕｔｉｎｇ ｒｕｌｅをします。
【０００８】
（二）ネットワークモビリティ・マネジメントプロトコルをベースとするＩＦＯＭ手段（ＮＢ-ＩＦＯＭ）。
【０００９】
TR ２３.８６１には、プロキシモバイルIPリリース６（Ｐｒｏｘｙ Ｍｏｂｉｌｅ ＩＰ ｖｅｒｓｉｏｎ ６，ＰＭＩＰｖ６）（S２a、S２bインタフェース）/ ＧＰＲＳトンネリングプロトコル（ＧＰＲＳ Ｔｕｎｎｅｌｉｎｇ Ｐｒｏｔｏｃｏｌ，ＧＴＰ；Ｇｅｎｅｒａｌ Ｐａｃｋｅｔ Ｒａｄｉｏ Ｓｅｒｖｉｃｅ，ＧＰＲＳ）（S２bインタフェース）プロトコルをベースとするＩＦＯＭ方法が定義される。当該方法の基本思想は、ＤＳＭＩＰｖ６をベースとするＩＦＯＭ方法と一致し、ともにＵＥがＰＧＷにアップデートされたｒｏｕｔｉｎｇ ｒｕｌｅを示す方法であるが、ただし、利用される伝送プロトコルが異なり、ここで詳細な説明を省略する。
【００１０】
３ＧＰＰには、ＵＥにより開始されたNB-ＩＦＯＭ、即ちＵＥ−ｉｎｉｔｉａｔｅｄ ＮＢ-ＩＦＯＭが定義され、トリガー原因は、アクセスネットワーク発見及び選択機能（Ａｃｃｅｓｓ Ｎｅｔｗｏｒｋ Ｄｉｓｃｏｖｅｒｙ ａｎｄ Ｓｅｌｅｃｔｉｏｎ Ｆｕｎｃｔｉｏｎ，ＡＮＤＳＦ）ポリシー，ｕｓｅｒ  ｐｒｅｆｅｒｅｎｃｅ（ユーザーの好み）及びＬｏｃａｌ  Ｏｐｅｒａｔｉｎｇ  Ｅｎｖｉｒｏｎｍｅｎｔ  Ｉｎｆｏｒｍａｔｉｏｎ（ロカール操作環境情報）などを含む。現在、Ｎｅｔｗｏｒｋ−ｉｎｉｔｉａｔｅｄ NB-ＩＦＯＭ、即ちネットワークにより開始されたNB-ＩＦＯＭも提出されるが、トリガー原因は、ネットワーク渋滞、ＩＰフロー特性変更等を含む。しかし、ネットワークがどのようにNB-ＩＦＯＭを開始し、及び、どのようにＵＥ−ｉｎｉｔｉａｔｅｄ ＩＦＯＭ及びNetwork−ｉｎｉｔｉａｔｅｄ ＩＦＯＭを組み合わせて最適なＩＦＯＭポリシーを取得するのかについて、まだ案出されていない。
【発明の概要】
【発明が解決しようとする課題】
【００１１】
本発明に係る実施例はＩＰフロールーティングルールの決定方法及び装置を提供し、またネットワークより開始されたNB-ＩＦＯＭを提供し、さらにＵＥ−ｉｎｉｔｉａｔｅｄ ＩＦＯＭ及びＮｅｔｗｏｒｋ−ｉｎｉｔｉａｔｅｄ ＩＦＯＭを組み合わせて最適なＩＦＯＭポリシーを取得するための解決案を提供する。
【課題を解決するための手段】
【００１２】
本発明に係る実施例により提供するＩＰフロールーティングルールの決定方法は、
第１通信装置は、ＩＦＯＭを開始させる間に、第２通信装置のために、前記第２通信装置により執行されるルーティングルールと異なる第１ルーティングルールを生成するステップと、
前記第１通信装置は、前記第１ルーティングルールを第２通信装置に通知して、前記第２通信装置が前記第１ルーティングルールを執行するようにリクエストするステップと、
前記第１通信装置は、前記第２通信装置からフィードバックされたメッセージに基づき、前記第２通信装置が最終的に執行するルーティングルールを決定するステップとを備える。
【００１３】
以下、第１通信装置がＵＥでありかつ第２通信装置がネットワーク装置であり、また、第１通信装置がネットワーク装置でありかつ第２通信装置がＵＥであるとの２つの応用シーンに対して詳細に説明する。
【００１４】
第１種の応用シーンにおいて、第１通信装置がＵＥでありかつ第２通信装置がネットワーク装置である。
【００１５】
実施の際、第１種の好適な実施態様として、前記第１通信装置は、前記第２通信装置からフィードバックされたメッセージに基づき、前記第２通信装置が最終的に執行するルーティングルールを決定するステップは、
前記第１通信装置は、前記第２通信装置からフィードバックされた第１メッセージを受信した後、前記第２通信装置が最終的に執行するルーティングルールを、前記第１ルーティングルールとして決定するステップを備え、前記第１メッセージは、前記第２通信装置が前記第１ルーティングルールを認めることを前記第１通信装置に通知するのに用いられる。
【００１６】
実施の際、第２種の好適な実施態様として、前記第１通信装置は、前記第２通信装置からフィードバックされたメッセージに基づき、前記第２通信装置が最終的に執行するルーティングルールを決定するステップは、
前記第１通信装置は、前記第２通信装置からフィードバックされた第２メッセージを受信するステップであって、前記第２メッセージは、前記第２通信装置が前記第１ルーティングルールを認めないことを前記第１通信装置に通知するのに用いられ、かつ前記第２メッセージには、現在のネットワークの状態情報及びＩＰフローの特性情報のうちの少なくとも１つが埋め込まれる前記受信ステップと、
前記第１通信装置は、前記第２メッセージに埋め込まれた情報に基づき、前記第２通信装置のために、前記第１ルーティングルールと異なる第２ルーティングルールを生成するステップと、
前記第１通信装置は、前記第２ルーティングルールを第２通信装置に通知して、前記第２通信装置が前記第２ルーティングルールを執行するようにリクエストするステップと、
前記第１通信装置は、前記第２通信装置からフィードバックされた第３メッセージを受信し、前記第２通信装置が最終的に執行するルーティングルールを前記第２ルーティングルールとして決定するステップとを備え、
前記第３メッセージは、前記第２通信装置が前記第２ルーティングルールを認めることを前記第１通信装置に通知するのに用いられる。
【００１７】
当該態様において、前記第１通信装置は、前記第２メッセージに埋め込まれた情報に基づき、前記第２通信装置のために前記第２ルーティングルールを生成するステップは、
前記第１通信装置は、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成するステップを備える。
【００１８】
第２種応用シーンに、第１通信装置はネットワーク装置であり、第２通信装置はＵＥである。
【００１９】
実施の際、第１通信装置は、ＩＦＯＭを開始させる間に、第２通信装置のために、前記第２通信装置により執行されるルーティングルールと異なる第１ルーティングルールを生成するステップは、
前記第１通信装置は、ＩＦＯＭを開始させる間に、現在のネットワークの状態情報及び/またはＩＰフローの特性情報に基づき、前記第２通信装置のために前記第１ルーティングルールを生成する。
【００２０】
実施の際、好ましくは、前記第１通信装置が前記第１ルーティングルールを前記第２通信装置に通知するステップは、
前記第１通信装置は、前記第１ルーティングルール及び現在のネットワークの状態情報及び/または前記ＩＰフローの特性情報を、前記第２通信装置に通知するステップを備える。
【００２１】
第１通信装置現在のネットワークの状態情報及び/または前記ＩＰフローの特性情報を前記第２通信装置に通知しなくてもよいことも、理解されたい。
【００２２】
当該シーンにおいて、前述のいずれの実施例を踏まえ、第１種の好適な実施態様として、前記第１通信装置が、前記第２通信装置からフィードバックされたメッセージに基づき、前記第２通信装置が最終的に執行するルーティングルールを決定するステップは、
前記第１通信装置は、前記第２通信装置からフィードバックされた第１メッセージを受信した後、前記第２通信装置が最終的に執行するルーティングルールを、前記第１ルーティングルールとして決定するステップを備え、前記第１メッセージは、前記第２通信装置が前記第１ルーティングルールを認めることを前記第１通信装置に通知するのに用いられる。
【００２３】
第２種の好適な実施態様として、前記第１通信装置が、前記第２通信装置からフィードバックされたメッセージに基づき、前記第２通信装置が最終的に執行するルーティングルールを決定するステップは、
前記第１通信装置は、前記第２通信装置からフィードバックされた第４メッセージを受信するステップであって、前記第４メッセージは、前記第２通信装置が前記第１ルーティングルールを認めないことを前記第１通信装置に通知するのに用いられ、前記第４メッセージには前記第２通信装置により生成された第３ルーティングルールが埋め込まれル前記受信ステップと、
前記第１通信装置は、前記第２通信装置が最終的に執行するルーティングルールを前記第３ルーティングルールとして決定するステップとを備え、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものである。
【００２４】
前述のいずれの実施例を踏まえ、本発明に係る実施例提供的ＡＮＤＳＦポリシーには、上り回線のルーティングルールと、下り回線のルーティングルールとを含み、前記上り回線のルーティングルールは、ＵＥ側が一定のトラフィックフィルタを満足するアップリンクＩＰフローをルーティングするアクセス技術及び/またはアクセスネットワークを示し、前記下り回線のルーティングルールは、ＰＤＮゲートウェイＰＧＷ側が一定のトラフィックフィルタを満足するダウンリンクＩＰフローをルーティングするアクセス技術及び/またはアクセスネットワークを示し、及び/または
前記ＡＮＤＳＦポリシーのルーティングルールには、ＩＰフローが現在のネットワークを経由して伝送されるのに必要とする条件が含まれる。
【００２５】
さらに、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【００２６】
本発明により提供するＩＰフロールーティングルールの決定方法は、
第２通信装置は、第１通信装置から通知された前記第２通信装置により執行されるルーティングルールと異なる第１ルーティングルールを受信するステップと、
前記第２通信装置は、一定の条件により、前記第１ルーティングルールを認めるか否かを判断するステップと、
前記第２通信装置は、判断結果により、前記第１通信装置へ異なるメッセージをフィードバックするステップとを備える。
【００２７】
以下、第１通信装置がＵＥでありかつ第２通信装置がネットワーク装置であり、また、第１通信装置がネットワーク装置でありかつ第２通信装置がＵＥであるとの２つの応用シーンそれぞれについて、詳細に説明する。
【００２８】
第１種の応用シーンにおいて、第１通信装置がＵＥでありかつ第２通信装置がネットワーク装置である。
【００２９】
実施の際、前記第２通信装置が、一定の条件により、前記第１ルーティングルールを認めるか否かを判断するステップは、
前記第２通信装置は、現在のネットワークの状態情報及び/または前記ＩＰフローの特性情報に基づき、前記第１ルーティングルールを認めるか否かを判断するステップと、
前記第１ルーティングルールを認めると判断した後、前記第２通信装置は、前記第１通信装置へ第１メッセージをフィードバックして前記第１ルーティングルールを執行するステップであって、前記第１メッセージは、前記第２通信装置が前記第１ルーティングルールを認めることを前記第１通信装置に通知するのに用いられる前記執行ステップと、
前記第１ルーティングルールを認めないと判断した後、前記第２通信装置は、前記第１通信装置へ第２メッセージをフィードバックステップと、前記第２メッセージは、前記第２通信装置が前記第１ルーティングルールを認めないことを前記第１通信装置に通知するのに用いられ、かつ、前記第２メッセージには現在のネットワークの状態情報及び/または前記ＩＰフローの特性情報が埋め込まれる前記フィードバックステップとを備える。
【００３０】
さらに、前記第２通信装置が前記第１通信装置へ前記第２メッセージをフィードバックした後、前記方法は、
前記第２通信装置は、前記第１通信装置から通知された第２ルーティングルールを受信して前記第２ルーティングルールを執行するステップであって、前記第２ルーティングルールは、前記第１通信装置が前記第２メッセージに埋め込まれた情報に基づき、生成されたものである。
【００３１】
第２種応用シーンにおいて、第１通信装置はネットワーク装置であり、第２通信装置はＵＥである。
【００３２】
実施の際、前記第２通信装置が、一定の条件により、前記第１ルーティングルールを認めるか否かを判断して、判断結果により、前記第１通信装置へ異なるメッセージをフィードバックするステップは、
前記第２通信装置は、現在のネットワークの状態情報及び/またはＩＰフローの特性情報に基づき、前記第１ルーティングルールを認めるか否かを判断するステップと、
前記第１ルーティングルールを認めると判断した後、前記第２通信装置は、前記第１通信装置へ第１メッセージをフィードバックして前記第１ルーティングルールを執行するステップであって、前記第１メッセージは、前記第２通信装置が前記第１ルーティングルールを認めることを前記第１通信装置に通知するのに用いられる前記執行ステップと、
前記第１ルーティングルールを認めないと判断した後、前記第２通信装置は、現在のネットワークの状態情報及び/またはＩＰフローの特性情報に基づき、自分のために第３ルーティングルールを生成して、前記第３ルーティングルールを執行し、前記第１通信装置に第３メッセージをフィードバックするステップであって、前記第３メッセージは、前記第２通信装置が前記第１ルーティングルールを認めないことを前記第１通信装置に通知するのに用いられ、前記第３メッセージには前記第３ルーティングルールが埋め込まれる前記フィードバックステップとを備える。
【００３３】
ここで、前記第１ルーティングルールを認めるか否かを判断する現在のネットワークの状態情報及び/またはＩＰフローの特性情報は、第１通信装置により通知されることに限られない。
【００３４】
さらに、前記第２通信装置は、前記第１通信装置から通知された現在のネットワークの状態情報及び/またはＩＰフローの特性情報に基づき、自分のために前記第３ルーティングルールを生成するステップは、
前記第２通信装置ＡＮＤＳＦポリシー、ユーザーの好み、及びロカール操作環境情報のうちの少なくとも１つの情報、前記第１通信装置から通知された現在のネットワークの状態情報及び/またはＩＰフローの特性情報に基づき、自分のために前記第３ルーティングルールを生成するステップを備える。
【００３５】
前述のいずれの実施例を踏まえ、本発明に係る実施例より提供されるＡＮＤＳＦポリシーは、上り回線のルーティングルールと、下り回線のルーティングルールを含み、前記上り回線のルーティングルールは、ＵＥ側が一定のトラフィックフィルタを満足するアップリンクＩＰフローをルーティングするアクセス技術及び/またはアクセスネットワークを示し、前記下り回線のルーティングルールは、ＰＤＮゲートウェイＰＧＷ側が一定のトラフィックフィルタを満足するダウンリンクＩＰフローをルーティングするアクセス技術及び/またはアクセスネットワークを示し、及び/または、
前記ＡＮＤＳＦポリシーのルーティングルールには、ＩＰフローが現在のネットワークを経由して伝送されるのに必要とする条件が含まれる。
【００３６】
さらに、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【００３７】
本発明に係る実施例は通信装置を提供し、当該通信装置は、
ＩＦＯＭを開始させる間に、第２通信装置のために、前記第２通信装置により執行されるルーティングルールと異なる第１ルーティングルールを生成するルーティングルール生成モジュールと、
前記第１ルーティングルールを第２通信装置に通知して、前記第２通信装置が前記第１ルーティングルールを執行するようにリクエストする通知モジュールと、
前記第２通信装置からフィードバックされたメッセージに基づき、前記第２通信装置が最終的に執行するルーティングルールを決定する処理モジュールとを備える。
【００３８】
以下、当該通信装置がＵＥでありかつ第２通信装置がネットワーク装置であり、当該通信装置はネットワーク装置であり、第２通信装置はＵＥであるとの２つの応用シーンそれぞれについて詳細に説明する。
【００３９】
第１種の応用シーンにおいて、当該通信装置がＵＥでありかつ第２通信装置がネットワーク装置である。
【００４０】
当該応用シーンにおいて、第１種の好適な実施態様として、前記処理モジュールは、
前記第２通信装置からフィードバックされた第１メッセージを受信した後、前記第２通信装置が最終的に執行するルーティングルールを、前記第１ルーティングルールとして決定し、前記第１メッセージは、前記第２通信装置が前記第１ルーティングルールを認めることを、前記通信装置に通知するのに用いられる。
【００４１】
第２種の好適な実施態様として、前記処理モジュールは、
前記第２通信装置からフィードバックされた第２メッセージを受信し、前記第２メッセージに埋め込まれた情報に基づき、前記第２通信装置のために、前記第１ルーティングルールと異なる第２ルーティングルールを生成し、前記第２ルーティングルールを第２通信装置に通知して、前記第２通信装置が前記第２ルーティングルールを執行するようにリクエストし、前記第２通信装置からフィードバックされた第３メッセージを受信し、前記第２通信装置が最終的に執行するルーティングルールを前記第２ルーティングルールとして決定し、
前記第２メッセージは、前記第２通信装置が前記第１ルーティングルールを認めないことを、前記通信装置に通知するのに用いられ、かつ前記第２メッセージには、現在のネットワークの状態情報及びＩＰフローの特性情報のうちの少なくとも１つが埋め込まれ、前記第３メッセージは、前記第２通信装置が前記第２ルーティングルールを認めることを、前記通信装置に通知するのに用いられる。
【００４２】
当該態様において、前記処理モジュールが、前記第２メッセージに埋め込まれた情報に基づき、前記第２通信装置のために前記第２ルーティングルールを生成することは、
アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成することである。
【００４３】
第２種応用シーンにおいて、当該通信装置はネットワーク装置であり、第２通信装置はＵＥである。
【００４４】
当該シーンにおいて、前記ルーティングルール生成モジュールは、
ＩＦＯＭを開始させる間に、現在のネットワークの状態情報及び/またはＩＰフローの特性情報に基づき、前記第２通信装置のために前記第１ルーティングルールを生成する。
【００４５】
当該シーンにおいて、前記通知モジュールは、
前記第１ルーティングルール及び現在のネットワークの状態情報及び/または前記ＩＰフローの特性情報を、前記第２通信装置に通知する。
【００４６】
現在のネットワークの状態情報及び/または前記ＩＰフローの特性情報を前記第２通信装置に通知しなくてもよいことも、理解されたい。
【００４７】
当該シーンにおいて、第１種の好適な実施態様として、前記処理モジュールは、
在前記第２通信装置からフィードバックされた第１メッセージを受信した後、前記第２通信装置が最終的に執行するルーティングルールを、前記第１ルーティングルールとして決定し、前記第１メッセージは、前記第２通信装置が前記第１ルーティングルールを認めることを、前記通信装置に通知するのに用いられる。
【００４８】
第２種の好適な実施態様として、前記処理モジュールは、
前記第２通信装置からフィードバックされた第４メッセージを受信し、前記第２通信装置が最終的に執行するルーティングルールを前記第３ルーティングルールとして決定し、前記第４メッセージは、前記第２通信装置が前記第１ルーティングルールを認めないことを、前記通信装置に通知するのに用いられ、前記第４メッセージには前記第２通信装置により生成された第３ルーティングルールが埋め込まれ、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものである。
【００４９】
本発明に係る実施例により提供される他の通信装置は、
第１通信装置から通知された、前記通信装置が現在に執行するルーティングルールと異なる第１ルーティングルールを受信する受信モジュールと、
一定の条件により、前記第１ルーティングルールを認めるか否かを判断して、前記判断モジュールの判断結果により、前記第１通信装置へ異なるメッセージをフィードバックする処理モジュールとを備える。
【００５０】
以下、当該通信装置がネットワーク装置であり、且つ第１通信装置がＵＥであり、また、当該通信装置がＵＥであり、かつ第１通信装置がネットワーク装置であるとの２つの応用シーンそれぞれについて詳細に説明する。
【００５１】
第１種の応用シーンにおいて、当該通信装置がネットワーク装置であり、第１通信装置がＵＥである。
【００５２】
当該シーンにおいて、前記処理モジュールは、
現在のネットワークの状態情報及び/またはＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、前記第１メッセージは、前記通信装置が前記第１ルーティングルールを認めることを、前記第１通信装置に通知するのに用いられ、
前記第１ルーティングルールを認めないと判断した後、前記第１通信装置へ第２メッセージをフィードバックし、前記第２メッセージは、前記通信装置が前記第１ルーティングルールを認めないことを、前記第１通信装置に通知するのに用いられ、かつ前記第２メッセージには、現在のネットワークの状態情報及びＩＰフローの特性情報のうちの少なくとも１つが埋め込まれる。
【００５３】
好ましくは、前記受信モジュールは、
前記第１通信装置から通知された第２ルーティングルールを受信して前記第２ルーティングルールを執行し、前記第２ルーティングルールは、前記第１通信装置が前記第２メッセージに埋め込まれた情報に基づき、生成されたものである。
【００５４】
第２種応用シーンにおいて、当該通信装置がＵＥであり、第１通信装置がネットワーク装置である。
【００５５】
当該シーンにおいて、前記処理モジュールは、
現在のネットワークの状態情報及び/またはＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、前記第１メッセージは、前記通信装置が前記第１ルーティングルールを認めることを、前記第１通信装置に通知するのに用いられ、
前記第１ルーティングルールを認めないと判断した後、前記第１通信装置から通知された現在のネットワークの状態情報及び/またはＩＰフローの特性情報に基づき、自分のために第３ルーティングルールを生成して、前記第３ルーティングルールを執行し、前記第１通信装置に第３メッセージをフィードバックし、前記第３メッセージは、前記通信装置が前記第１ルーティングルールを認めないことを、前記第１通信装置に通知するのに用いられ、かつ前記第３メッセージには前記第３ルーティングルールが埋め込まれる。
【００５６】
好ましくは、前記処理モジュールが前記第１通信装置から通知された現在のネットワークの状態情報及び/またはＩＰフローの特性情報に基づき、自分のために前記第３ルーティングルールを生成することは、
ＡＮＤＳＦポリシー、ユーザーの好み、及びロカール操作環境情報のうちの少なくとも１つの情報、前記第１通信装置から通知された現在のネットワークの状態情報及び/またはＩＰフローの特性情報に基づき、自分のために前記第３ルーティングルールを生成することである。
【００５７】
本発明に係る実施例により提供されるＵＥは、送受信機と、及び当該送受信機と接続する少なくとも１つのプロセッサとを備える。 
【００５８】
一、ＵＥ-ｉｎｔｉａｔｅｄ ＩＦＯＭ、即ちＵＥによりＩＦＯＭを開始させる場合
プロセッサは、ＩＦＯＭを開始させる間に、ネットワーク装置が現在執行するルーティングルールと異なる第１ルーティングルールを生成し、ネットワーク装置からフィードバックされたメッセージに基づき、ネットワーク装置が最終的に執行するルーティングルールを決定する。
【００５９】
送受信機は、プロセッサにより生成された第１ルーティングルールをネットワーク装置に通知して、ネットワーク装置が前記第１ルーティングルールを執行するようにリクエストするし、ネットワーク装置からフィードバックされたメッセージを受信する。
【００６０】
さらに、第１種の好適な実施態様として、プロセッサは、
送受信機が前記ネットワーク装置からフィードバックされた第１メッセージを受信した後、前記ネットワーク装置が最終的に執行するルーティングルールを前記第１ルーティングルールとして決定し、前記第１メッセージは、前記ネットワーク装置が前記第１ルーティングルールを認めることを、前記ＵＥに通知するのに用いられる。
【００６１】
当該シーンにおいて、第２種の好適な実施態様として、プロセッサは、送受信機が前記ネットワーク装置からフィードバックされた第２メッセージを受信した後、前記第２メッセージに埋め込まれた情報に基づき、前記ネットワーク装置のために前記第１ルーティングルールと異なる第２ルーティングルールを生成し、前記第２メッセージは、前記ネットワーク装置が前記第１ルーティングルールを認めないことを、前記ＵＥに通知するのに用いられ、かつ、前記第２メッセージには現在のネットワークの状態情報及び/または前記ＩＰフローの特性情報が埋め込まれ、
前記送受信機は、前記第２ルーティングルールをネットワーク装置に通知して、前記ネットワーク装置が前記第２ルーティングルールを執行するようにリクエストし、
前記送受信機は、前記第２ルーティングルールをネットワーク装置に通知した後、前記ネットワーク装置からフィードバックされた第３メッセージを受信し、前記第３メッセージは、前記ネットワーク装置が前記第２ルーティングルールを認めることを、前記ＵＥに通知するのに用いられ、
前記プロセッサは、前記ネットワーク装置が最終的に執行するルーティングルールを前記第２ルーティングルールとして決定する。
【００６２】
当該態様において、プロセッサが前記第２メッセージに埋め込まれた情報に基づき、前記ネットワーク装置のために前記第２ルーティングルールを生成することは、
アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記ネットワーク装置のために前記第２ルーティングルールを生成することである。
【００６３】
二、Ｎｅｔｗｏｒｋ-ｉｎｔｉａｔｅｄ ＩＦＯＭ、即ちネットワーク装置よりＩＦＯＭを開始させる場合
プロセッサは、
現在のネットワークの状態情報及び/またはＩＰフローの特性情報に基づき、前記第１ルーティングルールを認めるか否かを判断し、
前記第１ルーティングルールを認めると判断した後、前記第１ルーティングルールを執行し、送受信機が前記ネットワーク装置へ第１メッセージをフィードバックするようにトリガーし、前記第１メッセージは、前記ＵＥが前記第１ルーティングルールを認めることを、前記ネットワーク装置に通知するのに用いられ、
前記第１ルーティングルールを認めないと判断した後、現在のネットワークの状態情報及び/またはＩＰフローの特性情報に基づき、自分のために第３ルーティングルールを生成して、前記第３ルーティングルールを執行し、送受信機が前記ネットワーク装置に第３メッセージをフィードバックするようにトリガーし、前記第３メッセージは、前記ＵＥが前記第１ルーティングルールを認めないことを、前記ネットワーク装置に通知するのに用いられ、前記第３メッセージには前記第３ルーティングルールが埋め込まれる。
【００６４】
ここで、現在のネットワークの状態情報及び/またはＩＰフローの特性情報はネットワーク装置により通知されることに限られない。
【００６５】
さらに、プロセッサが、現在のネットワークの状態情報及び/またはＩＰフローの特性情報に基づき、自分のために前記第３ルーティングルールを生成することは、
ＡＮＤＳＦポリシー、ユーザーの好み、及びロカール操作環境情報のうちの少なくとも１つの情報、及び現在のネットワークの状態情報及び/またはＩＰフローの特性情報に基づき、自分のために前記第３ルーティングルールを生成することである。
【００６６】
本発明に係る実施例により提供されるネットワーク装置は、送受信機と、当該送受信機と接続する少なくとも１つのプロセッサとを備える。 
【００６７】
一、ＵＥ-ｉｎｔｉａｔｅｄ ＩＦＯＭ、即ちＵＥよりＩＦＯＭを開始させる場合
プロセッサは、
現在のネットワークの状態情報及び/または前記ＩＰフローの特性情報に基づき、前記第１ルーティングルールを認めるか否かを判断し、
前記第１ルーティングルールを認めると判断した後、前記第１ルーティングルールを執行し、送受信機が前記ＵＥに第１メッセージをフィードバックするようにトリガーし、前記第１メッセージは、前記ネットワーク装置が前記第１ルーティングルールを認めることを、前記ＵＥに通知するのに用いられ、
前記第１ルーティングルールを認めないと判断した後、送受信機が前記ＵＥに第２メッセージをフィードバックするようにトリガーし、前記第２メッセージは、前記ネットワーク装置が前記第１ルーティングルールを認めないことを、前記ＵＥに通知するのに用いられ、かつ、前記第２メッセージには現在のネットワークの状態情報及び/または前記ＩＰフローの特性情報が埋め込まれる。
【００６８】
当該シーンにおいて、送受信機は、前記ＵＥから通知された第２ルーティングルールを受信し、前記第２ルーティングルールは、前記ＵＥが前記第２メッセージに埋め込まれた情報に基づいて生成されたものであり、
プロセッサは、前記第２ルーティングルールを執行する。
【００６９】
二、Ｎｅｔｗｏｒｋ-ｉｎｔｉａｔｅｄ ＩＦＯＭ、即ちネットワーク装置よりＩＦＯＭを開始させる場合
プロセッサは、ＩＦＯＭを開始させる間に、ＵＥのために、前記ＵＥが現在執行するルーティングルールと異なる第１ルーティングルールを生成し、前記ＵＥからフィードバックされたメッセージに基づき、前記ＵＥが最終に執行するルーティングルールを決定する。
【００７０】
送受信機は、前記第１ルーティングルールをＵＥに通知して、前記ＵＥが前記第１ルーティングルールを執行するようにリクエストする。
【００７１】
実施の際、プロセッサは、ＩＦＯＭを開始させる間に、現在のネットワークの状態情報及び/またはＩＰフローの特性情報に基づき、前記ＵＥのために前記第１ルーティングルールを生成する。
【００７２】
実施の際、送受信機は、前記第１ルーティングルール及び現在のネットワークの状態情報及び/または前記ＩＰフローの特性情報を、前記ＵＥに通知する。
【００７３】
実施の際、第１種の好適な実施態様として、プロセッサは、
送受信機が前記ＵＥからフィードバックされた第１メッセージを受信した後、前記ＵＥが最終に執行するルーティングルールを前記第１ルーティングルールとして決定し、前記第１メッセージは、前記ＵＥが前記第１ルーティングルールを認めることを、前記ネットワーク装置に通知するのに用いられる。
【００７４】
当該シーンにおいて、第２種の好適な実施態様として、送受信機は、前記ＵＥからフィードバックされた第４メッセージを受信し、前記第４メッセージは、前記ＵＥが前記第１ルーティングルールを認めないことを、前記ネットワーク装置に通知するのに用いられる、前記第４メッセージには、前記ＵＥにより生成した第３ルーティングルールが埋め込まれ、
プロセッサは、前記ＵＥが最終に執行するルーティングルールを前記第３ルーティングルールとして決定し、
ここで、前記第３ルーティングルールは、前記ＵＥが前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものである。
【発明の効果】
【００７５】
本発明に係る実施例によれば、ＩＰフロールーティングルールの決定方法及び装置が提供され、第１通信装置は、ＩＦＯＭを開始させる間に、第２通信装置が現在執行するルーティングルールと異なる第１ルーティングルールを生成し、第１通信装置は、当該第１ルーティングルールを第２通信装置に通知して、第２通信装置が当該第１ルーティングルールを執行させるようにリクエストし、第１通信装置は、第２通信装置からフィードバックされたメッセージに基づき、第２通信装置が最終的に執行するルーティングルールを決定し、こうして、ネットワーク装置と端末間の協議により最適のルーティングルール案を定める。
【００７６】
第２通信装置は、第１通信装置から通知された、当該第２通信装置が現在執行するルーティングルールと異なる第１ルーティングルールを受信し、第２通信装置は、一定の条件により、第１ルーティングルールを認めるか否かを判断し、第２通信装置は、判断結果により、第１通信装置へ異なるメッセージをフィードバックし、こうして、ネットワーク装置と端末間の協議により最適のルーティングルール案を定める。
【図面の簡単な説明】
【００７７】
【図１】は本発明に係るＩＰフロールーティングルールの決定方法を示す図である。
【図２】は本発明に係る拡張されたＡＮＤＳＦポリシーを示す図である。
【図３】は本発明に係る他のＩＰフロールーティングルールの決定方法を示す図である。
【図４】は本発明に係る実施例１のフローチャートである。
【図５】は本発明に係る実施例２のフローチャートである。
【図６】は本発明に係る実施例３のフローチャートである。
【図７】は本発明に係る実施例４のフローチャートである。
【図８】は本発明に係る実施例５のフローチャートである。
【図９】は本発明に係る通信装置を示す図である
【図１０】は本発明に係るたの通信装置を示す図である。
【図１１】は本発明に係るＵＥを示す図である。
【図１２】は本発明に係るネットワーク側の装置を示す図である。
【発明を実施するための形態】
【００７８】
本発明は、ネットワーク装置とＵＥ間の協議により、最適なルーティングルールを定める技術を提供する。以下、図面を参照しながら本発明に係る実施例をさらに詳細に説明する。ここでの実施例は、説明及び本発明の釈明のためのみであり、本発明を制限するものではないことを理解されたい。
【００７９】
本発明に係る実施例はＩＰフロールーティングルールの決定方法を提供し、図１に示すように、当該方法は以下のステップ達を備える。
【００８０】
ステップ１１において、第１通信装置は、ＩＦＯＭを開始させる間に、第２通信装置が現在執行するルーティングルールと異なる第１ルーティングルールを生成する。
【００８１】
ステップ１２において、第１通信装置は、当該第１ルーティングルールを第２通信装置に通知して、第２通信装置が当該第１ルーティングルールを執行させるようにリクエストする。
【００８２】
ステップ１３において、第１通信装置は、第２通信装置からフィードバックされたメッセージに基づき、第２通信装置が最終的に執行するルーティングルールを決定する。
【００８３】
ここで、第２通信装置は、第１ルーティングルールを受信した後、当該第１ルーティングルールを認めるかどうかを判断して、判断結果により第１通信装置へ異なるメッセージをフィードバックする。
【００８４】
本発明に係る実施例において、第１通信装置はＵＥであり、かつ第２通信装置はネットワーク装置であり、または、第１通信装置はネットワーク装置であり、第２通信装置はＵＥである。
【００８５】
好ましくは、ネットワーク装置はＵＥのＰＤＮ接続により固定された（ａｎｃｈｏｒｅｄ）ＰＧＷであるか、または、ネットワーク側装置は、ＵＥのＰＤＮ接続により固定されたＰＧＷ及びＰＣＲＦエンティティを備える。
【００８６】
本発明に係る実施例の第１通信装置は、ＩＦＯＭを開始させる通信装置を指す。具体的に、ＵＥ-ｉｎｔｉａｔｅｄ ＩＦＯＭの場合、第１装置はＵＥであり、この際の第２装置はネットワーク装置である。一方、Ｎｅｔｗｏｒｋ-ｉｎｔｉａｔｅｄ ＩＦＯＭの場合、第１装置はネットワーク装置であり、この際の第２装置はＵＥである。
【００８７】
本発明に係る実施例において、第１通信装置は、ＩＦＯＭを開始させる間に、第２通信装置が現在執行するルーティングルールと異なる第１ルーティングルールを生成する。前記第１ルーティングルールを第２通信装置につうちして、第２通信装置が前記第１ルーティングルールを執行するようにリクエストする。第１通信装置は、第２通信装置からフィードバックされたメッセージに基づき、第２通信装置が最終的に執行するルーティングルールを決定する。こうして、ネットワーク装置と端末間の協議により最適のルーティングルール案を定める。
【００８８】
以下、第１通信装置がＵＥでありかつ第２通信装置がネットワーク装置であり、また、第１通信装置がネットワーク装置でありかつ第２通信装置がＵＥであるとの２つの応用シーンそれぞれについて詳細に説明する。
【００８９】
第１種の応用シーンにおいて、第１通信装置がＵＥでありかつ第２通信装置がネットワーク装置である。ここで、第２通信装置は第１通信装置のＰＤＮ接続により固定されたＰＧＷでありが、第２通信装置は、第１通信装置のＰＤＮ接続により固定されたＰＧＷ及びＰＣＲＦエンティティを備える。
【００９０】
当該シーンにおいて、ステップ１１は具体的に、第１通信装置は、ＡＮＤＳＦポリシー、ｕｓｅｒ  ｐｒｅｆｅｒｅｎｃｅ（ユーザーの好み）、及びＬｏｃａｌ  Ｏｐｅｒａｔｉｎｇ  Ｅｎｖｉｒｏｎｍｅｎｔ  Ｉｎｆｏｒｍａｔｉｏｎ（ロカール操作環境情報）のうちの少なくとも１つの情報に基づき、第１ルーティングルールを生成する。
【００９１】
実施の際、第１通信装置は、ＡＮＤＳＦエンティティから割り当てられたＡＮＤＳＦポリシーを既に格納した。または、第１通信装置は、ＩＦＯＭを開始させる間に、ＡＮＤＳＦエンティティからＡＮＤＳＦポリシーを取得する。
【００９２】
実施の際、利用されたプロトコルの相違により、ステップ１２における第１通信装置が当該第１ルーティングルールを第２通信装置に通知することは、以下２つの態様を含む。
【００９３】
態様１
ＤＩＳＭＩＰｖ６プロトコルを採用すれば、第１通信装置は、前記第１通信装置のＰＤＮ接続により固定されたＰＧＷと、直接に通信することができる。
【００９４】
この場合、ステップ１２は、具体的に、第１通信装置は、前記第１通信装置のＰＤＮ接続により固定されたＰＧＷにバインディング・アップデート（Ｂｉｎｄｉｎｇ  Ｕｐｄａｔｅ）メッセージを送信し、前記バインディング・アップデートメッセージに第１ルーティングルールを埋め込み、こうして、ＰＧＷが前記第１ルーティングルールを執行するようにリクエストする。
【００９５】
当該態様において、ＰＧＷにより前記第１ルーティングルールを認めるか否かを判断してもよいし、ＰＣＲＦエンティティにより前記第１ルーティングルールを認めるか否かを判断する。
【００９６】
ＰＣＲＦエンティティにより前記第１ルーティングルールを認めるか否かを判断する場合、さらに、ＰＧＷは、第１ルーティングルールをＰＣＲＦエンティティに通知して、ＰＣＲＦエンティティに前記第１ルーティングルールを認めるか否かを判断させる。ＰＣＲＦエンティティは判断結果をＰＧＷにフィードバック。
【００９７】
態様２
Ｓ２ａ−ＧＴＰプロトコルを採用すれば、第１通信装置は、前記第１通信装置のＰＤＮ接続により固定されたＰＧＷと直接に通信することができない。
【００９８】
この場合、若第１通信装置がＷＬＡＮアクセスネットワークを介して第２通信装置に通知すれば、ステップ１２が具体的に、第１通信装置は、第１ルーティングルールをＴＷＡＧに送信して、ＴＷＡＧがＧＴＰメッセージにより第１ルーティングルールをＰＧＷに通知するようにする。
【００９９】
第１通信装置が３ＧＰＰアクセスネットワークを介して第２通信装置に通知すれば、ステップ１２が具体的に、第１通信装置は、第１ルーティングルールをモビリティ・マネジメントエンティティ（Ｍｏｂｉｌｉｔｙ Ｍａｎａｇｅｍｅｎｔ Ｅｎｔｉｔｙ，ＭＭＥ）に送信して、ＭＭＥがサービングゲートウェイ（Ｓｅｒｖｉｎｇ Ｇａｔｅｗａｙ，ＳＧＷ）により第１ルーティングルールをＰＧＷに通知する。
【０１００】
当該態様において、ＰＧＷにより前記第１ルーティングルールを認めるか否かを判断してもよく、ＰＣＲＦエンティティにより前記第１ルーティングルールを認めるか否かを判断してもよい。
【０１０１】
ＰＣＲＦエンティティにより前記第１ルーティングルールを認めるか否かを判断すれば、さらに、ＰＧＷは、第１ルーティングルールをＰＣＲＦエンティティに通知して、ＰＣＲＦエンティティに前記第１ルーティングルールを認めるか否かを判断させる。ＰＣＲＦエンティティは、判断結果をＰＧＷへフィードバックする。
【０１０２】
当該シーンにおいて、ステップ１３では、第１通信装置が、第２通信装置からフィードバックされた情報に基づき、前記第２通信装置が最終的に執行するルーティングルールを決定することは、以下の２つの態様を含む。
【０１０３】
態様１
第２通信装置が第１ルーティングルールを認める場合
ステップ１３は具体的に、第１通信装置が第２通信装置からフィードバックされた第１メッセージを受信した後、前記第２通信装置が最終的に執行するルーティングルールを第１ルーティングルールとして決定する。前記第１メッセージは、第２通信装置が第１ルーティングルールを認めることを第１通信装置に通知するのに用いられる。
【０１０４】
態様１
第２通信装置が第１ルーティングルールを認めない場合
ステップ１３は具体的に、第１通信装置は、第２通信装置からフィードバックされた第２メッセージを受信する。前記第２メッセージは、第２通信装置が第１ルーティングルールを認めないことを、第１通信装置に通知するのに用いられる。前記第２メッセージにはアクセスネットワークの特性情報及び/またはＩＰフローの特性情報が埋め込まれる。
【０１０５】
第１通信装置は、前記第２メッセージに埋め込まれた情報に基づき、前記第２通信装置のために、前記第１ルーティングルールと異なる第２ルーティングルールを生成する。
第１通信装置は、前記第２ルーティングルールを第２通信装置に通知して、第２通信装置に前記第２ルーティングルールを執行するようにリクエストする。
【０１０６】
また、第１通信装置は、第２通信装置からフィードバックされた第３メッセージを受信して、第２通信装置が最終的に執行するルーティングルール第２ルーティングルールとしてを決定する。ここで、前記第３メッセージは、第２通信装置が第２ルーティングルールを認めることを、第１通信装置に通知するのに用いられる。
【０１０７】
ここで、アクセスネットワークの特性情報は、少なくともアクセスネットワークの現在の渋滞程度を示す情報を含む。ＩＰフローの特性情報は、ＩＰフロー的遅延情報と、ＩＰフローのジッタ特性を示す情報とのうちの少なくとも１つを含む。
【０１０８】
好ましくは、第１通信装置が、第２メッセージに埋め込まれた情報に基づき、第２通信装置のために第２ルーティングルールを生成するのは、第１通信装置は、ＡＮＤＳＦポリシー、ｕｓｅｒ  ｐｒｅｆｅｒｅｎｃｅ及びＬｏｃａｌ  Ｏｐｅｒａｔｉｎｇ  Ｅｎｖｉｒｏｎｍｅｎｔ  Ｉｎｆｏｒｍａｔｉｏｎのうちの少なくとも１つの情報に基づき、さらに第２メッセージに埋め込まれた情報に基づき，第２通信装置のために第２ルーティングルールを生成する。
【０１０９】
第２種応用シーンにおいて、第１通信装置はネットワーク装置であり、第２通信装置はＵＥである。ここで、第１通信装置は、第２通信装置のＰＤＮ接続により固定されたＰＧＷであるか、または、第１通信装置は、第２通信装置のＰＤＮ接続により固定されたＰＧＷ及びＰＣＲＦエンティティを備える。
【０１１０】
当該シーンにおいて、ステップ１１は具体的に、第１通信装置は、ＩＦＯＭを開始させる間に、アクセスネットワークの特性情報及び/またはＩＰフローの特性情報に基づき、前記第２通信装置のために第１ルーティングルールを生成する。
【０１１１】
具体的に、ＰＣＲＦエンティティによりＩＦＯＭを開始させる間に、前記第２通信装置のために第１ルーティングルールを生成してもよく、前記第２通信装置のＰＤＮ接続により固定されたＰＧＷによりＩＦＯＭを開始させる間に、前記第２通信装置のために第１ルーティングルールを生成してもよい。
【０１１２】
ここで、アクセスネットワークの特性情報は、少なくともアクセスネットワークの現在の渋滞程度を示す情報を含む。ＩＰフローの特性情報は、ＩＰフロー的遅延情報と、ＩＰフローのジッタ特性を示す情報とのうちの少なくとも１つを含む。
【０１１３】
当該シーンにおいて、ステップ１２は具体的に、第１通信装置は、第１ルーティングルール、及びアクセスネットワークの特性情報及び/またはＩＰフローの特性情報を、第２通信装置に通知する。
【０１１４】
具体的に、ステップ１１における第１通信装置がアクセスネットワークの特性情報に基づき、第１ルーティングルールを生成する場合、ステップ１２は具体的に、第１通信装置は、第１ルーティングルール及びアクセスネットワークの特性情報を、第２通信装置に通知する。
【０１１５】
ステップ１１における第１通信装置が現在伝送するＩＰフローの特性情報に基づいて第１ルーティングルールを生成すれば、ステップ１２は具体的に、第１通信装置は、第１ルーティングルール及びＩＰフローの特性情報を、第２通信装置に通知する。
【０１１６】
ステップ１１における第１通信装置がアクセスネットワークの特性情報及び現在伝送するＩＰフローの特性情報に基づいて第１ルーティングルールを生成すれば、ステップ１２は具体的に、第１通信装置は、第１ルーティングルール、アクセスネットワークの特性情報及びＩＰフローの特性情報を、第２通信装置に通知する。
【０１１７】
実施の際、ＰＣＲＦエンティティにより第１ルーティングルールを生成すれば、利用するプロトコルの相違により、ステップ１２における第１通信装置が前記第１ルーティングルール、及びアクセスネットワークの特性情報及び/またはＩＰフローの特性情報，第２通信装置に通知するのは、以下の態様を含む。
【０１１８】
態様１
ＤＩＳＭＩＰｖ６プロトコルを採用すれば、ＰＣＲＦエンティティは、第２通信装置のＰＤＮ接続により固定されたＰＧＷと直接に通信することができる。
【０１１９】
この場合のステップ１２は具体的に、ＰＣＲＦエンティティは、第１ルーティングルールを第２通信装置のＰＤＮ接続により固定されたＰＧＷに送信して、ＰＧＷに、前記第１ルーティングルールを第２通信装置に送信させる。
【０１２０】
態様２
Ｓ２ａ−ＧＴＰプロトコルを採用すれば、ＰＣＲＦエンティティは、第２通信装置のＰＤＮ接続により固定されたＰＧＷと直接に通信することができない。
【０１２１】
第２通信装置がＷＬＡＮを介してネットワークとアクセスすれば、ステップ１２は具体的に、ＰＣＲＦエンティティは、第１有ルーティングルールをＴＷＡＧに送信して、ＴＷＡＧに、第１ルーティングルールをＰＧＷに送信させて、ＰＧＷにより第１ルーティングルールを第２通信装置に通知する。
【０１２２】
第２通信装置が３ＧＰＰによりネットワークとアクセスすれば、ステップ１２は具体的に、ＰＣＲＦエンティティは、第１ルーティングルールをＳＧＷに送信して、ＳＧＷに、ＭＭＥにより第１ルーティングルールをＰＧＷに通知させて、ＰＧＷにより第１ルーティングルールを第２通信装置に通知する。
【０１２３】
当該シーンにおいて、ステップ１３では、第１通信装置は、第２通信装置からフィードバックされた情報に基づいて異なる処理を執行するが、具体的に以下の２つの処理態様を含む。
【０１２４】
一、第２通信装置が第１ルーティングルールを認める場合
ステップ１３は具体的に、第１通信装置が第２通信装置からフィードバックされた第１メッセージを受信した後、第２通信装置が最終的に執行するルーティングルール第１ルーティングルールとしてを決定する。前記第１メッセージは、第２通信装置が第１ルーティングルールを認めることを第１通信装置に通知するのに用いられる。
【０１２５】
二、第２通信装置が第１ルーティングルールを認めない場合
ステップ１３は具体的に、第１通信装置は、第２通信装置からフィードバックされた第４メッセージを受信する。前記第４メッセージは、第２通信装置が第１ルーティングルールを認めないことを、第１通信装置に通知するのに用いられる。前記第４メッセージには第２通信装置により生成された第３ルーティングルールが埋め込まれる。
【０１２６】
また、第１通信装置は、第２通信装置が最終的に執行するルーティングルールを前記第３ルーティングルールとして決定する。
【０１２７】
ここで、第３ルーティングルールは、第２通信装置が現在のネットワークの状態情報及び/またはＩＰフローの特性情報、及びＡＮＤＳＦポリシー、ユーザーの好み及びロカール操作環境情報のうちの少なくとも１つの情報に基づいて生成されたものである。
【０１２８】
前述のいずれの実施例を踏まえ、前述の第１通信装置と第２通信装置間の協議を支持するため、本発明に係る実施例は、ＡＮＤＳＦポリシーをさらに拡張したが、以下、詳細に説明する。
【０１２９】
ＡＮＤＳＦポリシーには、上り回線のルーティングルールと、下り回線のルーティングルールが含まれる。前記上り回線のルーティングルールは、ＵＥ側が一定のＩＰ  ｔｒａｆｆｉｃ  ｆｉｌｔｅｒｓ（トラフィックフィルタ）を満足するアップリンクＩＰフローをルーティングするアクセス技術及び/またはアクセスネットワークを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す。
【０１３０】
及び/または、ＡＮＤＳＦポリシーのルーティングルールには、ＩＰフローが現在のネットワークを経由して伝送されるのに必要とする条件が含まれる。
【０１３１】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０１３２】
例えば、ＡＮＤＳＦポリシー中のＩＦＯＭ ｒｕｌｅが拡張された後の構造は、図２に示すように、図における「Ｄｉｒｅｃｔｉｏｎ」は、Ｕｐｌｉｎｋ（即ち、ＵＥ側が一定のＩＰ  ｔｒａｆｆｉｃ  ｆｉｌｔｅｒｓを満足するアップリンクＩＰフローをルーティングするアクセス技術及び/またはアクセスネットワークを示す上り回線のルーティングルール）及びＤｏｗｎｌｉｎｋ（即ち、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す下り回線のルーティングルール）を含む。ＲｏｕｔｉｎＣｒｉｔｅｒｉａ（ルーティングルール）には、ＩＰフローが現在のネットワークを経由して伝送する場合に満足すべきネットワーク渋滞程度を示す条件が追加されており、例えば、満足すべき閾値条件（ＴＨ）が追加されている。現在のネットワークの渋滞程度がＴＨより大きくなければ、現在のネットワークが渋滞していないことを示す。現在のネットワークの渋滞程度がＴＨより大きければ、現在のネットワークが渋滞していることを示す。
【０１３３】
同様な発明思想を踏まえ、本発明に係る実施例は、ＩＰフロールーティングルールの決定方法を提供する。図３に示すように、当該方法は以下のステップを備える。
【０１３４】
ステップ３１において、第２通信装置は、第１通信装置から通知された、当該第２通信装置が現在執行するルーティングルールと異なる第１ルーティングルールを受信する。
【０１３５】
ステップ３２において、第２通信装置は、一定の条件により、第１ルーティングルールを認めるか否かを判断する。
【０１３６】
ステップ３３において、第２通信装置は、判断結果により、第１通信装置へ異なるメッセージをフィードバックする。
【０１３７】
本発明に係る実施例において、第１通信装置はＵＥでありかつ第２通信装置はネットワーク装置であり、また、第１通信装置はネットワーク装置であり、第２通信装置はＵＥである。
【０１３８】
好ましくは、ネットワーク装置は、ＵＥのＰＤＮ接続より固定されたＰＧＷであるか、または、ネットワーク側装置は、ＵＥのＰＤＮ接続より固定されたＰＧＷ及びＰＣＲＦエンティティを備える。
【０１３９】
本発明に係る実施例において、第２通信装置は、第１通信装置から通知された、当該第２通信装置が現在執行するルーティングルールと異なる第１ルーティングルールを受信し、第２通信装置は、一定の条件により、第１ルーティングルールを認めるか否かを判断する。また、第２通信装置は、判断結果により、第１通信装置へ異なるメッセージをフィードバックする。こうして、ネットワーク装置と端末間の協議により最適のルーティングルール案を定める。
【０１４０】
以下、第１通信装置がＵＥでありかつ第２通信装置がネットワーク装置であり、また、第１通信装置がネットワーク装置でありかつ第２通信装置がＵＥであるとの２つの応用シーンそれぞれについて詳細に説明する。
【０１４１】
第１種の応用シーンにおいて、第１通信装置がＵＥでありかつ第２通信装置がネットワーク装置である。
【０１４２】
当該シーンにおいて、第２通信装置が一定の条件により、第１ルーティングルールを認めるか否かを判断することは、以下、詳細に説明する。
【０１４３】
第２通信装置は、現在のネットワークの状態情報及び/またはＩＰフローの特性情報に基づき、第１ルーティングルールを認めるか否かを判断する。
【０１４４】
第１ルーティングルールを認めると判断した後、第２通信装第置は、第１通信装置へ第１メッセージをフィードバックして、第１ルーティングルールを執行する。前記第１メッセージは、第２通信装置が前記第１ルーティングルールを認めることを、第１通信装置に通知するのに用いられる。
【０１４５】
第１ルーティングルールを認めないと判断する場合、第２通信装置は、第１通信装置へ第２メッセージをフィードバックする。前記第２メッセージは、第２通信装置が第１ルーティングルールを認めないことを、第１通信装置に通知するのに用いられる。前記第２メッセージには現在のネットワークの状態情報及び/またはＩＰフローの特性情報が埋め込まれる。
【０１４６】
具体的に、第２通信装置が現在のネットワークの状態情報に基づいて第１ルーティングルールを認めないと判断すれば、前記第２メッセージには現在のネットワークの状態情報が埋め込まれる。第２通信装置がＩＰフローの特性情報に基づいて第１ルーティングルールを認めないと判断すれば、前記第２メッセージにはＩＰフローの特性情報が埋め込まれる。第２通信装置が現在のネットワークの状態情報及びＩＰフローの特性情報に基づいて第１ルーティングルールを認めないと判断すれば、前記第２メッセージには、現在のネットワークの状態情報及びＩＰフローの特性情報が埋め込まれる。
【０１４７】
さらに、第２通信装置が第１通信装置へ第２メッセージをフィードバックした後、当該方法は、第２通信装置は、第１通信装置から通知された第２ルーティングルールを受信して、前記第２ルーティングルールを執行するステップをさらに備える。ここで、前記第２ルーティングルールは、第１通信装置が第２メッセージに埋め込まれた情報に基づいて生成されたものである。
【０１４８】
第２種応用シーンにおいて、第１通信装置はネットワーク装置であり、第２通信装置はＵＥである。
【０１４９】
当該シーンにおいて、第２通信装置が一定の条件により、第１ルーティングルールを認めるか否かを判断することについて、以下、詳細に説明する。
【０１５０】
第２通信装置は、現在のネットワークの状態情報及び/またはＩＰフローの特性情報に基づき、第１ルーティングルールを認めるか否かを判断する。
【０１５１】
第１ルーティングルールを認めると判断した後、第２通信装置は、第１通信装置へ第１メッセージをフィードバックして、前記第１ルーティングルールを執行する。前記第１メッセージは、第２通信装置が第１ルーティングルールを認めることを第１通信装置に通知するのに用いられる。
【０１５２】
第１ルーティングルールを認めないと判断する場合、第２通信装置は、現在のネットワークの状態情報及び/またはＩＰフローの特性情報に基づき、自分のために第３ルーティングルールを生成して、前記第３ルーティングルールを執行して、第１通信装置へ第３メッセージをフィードバックする。前記第３メッセージは、第２通信装置が第１ルーティングルールを認めないことを、第１通信装置に通知するのに用いられる。前記第３メッセージには、第３ルーティングルールが埋め込まれる。
【０１５３】
具体的に、第１通信装置から２通信装置に通知した情報が第１ルーティングルール及びアクセスネットワークの特性情報であれば、第２通信装置は、アクセスネットワークの特性情報に基づいて、自分のために第３ルーティングルールを生成する。
【０１５４】
第１通信装置から２通信装置に通知した情報が第１ルーティングルール及びＩＰフローの特性情報であれば、第２通信装置は、ＩＰフローの特性情報に基づき、自分のために第３ルーティングルールを生成する。
【０１５５】
第１通信装置から第２通信装置に通知したのが第１ルーティングルール、アクセスネットワークの特性情報及びＩＰフローの特性情報であれば、第２通信装置は、現在の伝送的ＩＰフローの特性情報及びＩＰフローの特性情報に基づき、自分のために第３ルーティングルールを生成する。
【０１５６】
好ましくは、第２通信装置が、現在のネットワークの状態情報及び/またはＩＰフローの特性情報に基づき、自分のために第３ルーティングルールを生成するのは、具体的に、第１通信装置は、ＡＮＤＳＦポリシー、ユーザーの好み及びロカール操作環境情報のうちの少なくとも１つの情報、及び現在のネットワークの状態情報及び/またはＩＰフローの特性情報に基づき、自分のために第３ルーティングルールを生成する。
【０１５７】
前述のいずれの実施例を踏まえ、前述の第１通信装置と第２通信装置間の協議を支持するため、本発明に係る実施例は、ＡＮＤＳＦポリシーを拡張した。以下、詳細に説明する。
【０１５８】
ＡＮＤＳＦポリシーには、上り回線のルーティングルールと、下り回線のルーティングルールとを備える。前記上り回線のルーティングルールは、ＵＥ側が一定のＩＰ  ｔｒａｆｆｉｃ  ｆｉｌｔｅｒｓを満足するアップリンクＩＰフローをルーティングするアクセス技術及び/またはアクセスネットワークを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す。
【０１５９】
及び/または、ＡＮＤＳＦポリシーのルーティングルールには、ＩＰフローが現在のネットワークを経由して伝送されるのに必要とする条件が含まれる。
【０１６０】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０１６１】
以下、４つの実施例により、从第１通信装置と第２通信装置の交換の視点から、本発明に係る実施例により提供されるＩＰフロールーティングルールの決定方法を詳細に説明する。
【０１６２】
実施例一
本実施例において、ＵＥがＩＦＯＭを開始させ（ＵＥ−ｉｎｉｔｉａｔｅｄ ＩＦＯＭ）、ＤＩＳＭＩＰｖ６に基づいてＵＥとネットワーク側の協議を実現させる。具体的には図４に示すように、以下のステップ達を備える。
【０１６３】
ステップ１において、ＵＥは、３ＧＰＰアクセス及びｎｏｎ−３ＧＰＰアクセスへ同時に接続し、ｒｏｕｔｉｎｇ ｒｕｌｅに基づき、ＩＰフローは、３ＧＰＰアクセス及びｎｏｎ−３ＧＰＰアクセスにより伝送される。
【０１６４】
ステップ２において、ＵＥはＰＧＷ（ＨＡ）にＢｉｎｄｉｎｇ  Ｕｐｄａｔｅ（ＨｏＡ，ＢＩＤ，ＦＩＤ）メッセージを伝送して、ＨＡが新しいｒｏｕｔｉｎｇ ｒｕｌｅを執行するようにリクエストする。ここで、ホームエージェント（Ｈｏｍｅ Ａｇｅｎｔ，ＨＡ）機能は、ＰＧＷに集成される。
【０１６５】
ステップ３において、ＰＧＷはIP接続アクセスネットワーク（IP Connectivity Access Ｎｅｔｗｏｒｋ，ＩＰ−ＣＡＮ）セッション修正リクエストメッセージにより、ＰＣＲＦエンティティにｒｏｕｔｉｎｇ ｒｕｌｅを提供する。
【０１６６】
ステップ４において、ＰＣＲＦエンティティは、現在のネットワーク状態（例えばネットワーク渋滞）により、ｒｏｕｔｉｎｇ ｒｕｌｅが適合ではないことを発見すれば、ＰＣＲＦは、ＰＧＷへネットワーク状態情報をフィードバックする。ＰＣＲＦがｒｏｕｔｉｎｇ ｒｕｌｅを認めれば、直ちに確認をフィードバックし、ステップ７ないしステップ１０執行しない。
【０１６７】
ステップ５において、ＰＧＷ（ＨＡ）は、ＵＥへＢｉｎｄｉｎｇ Ａｃｋｎｏｗｌｅｄｇｅ（じゅみょう（Lifetime），ＨｏＡ，ＢＩＤ，ＦＩＤ）メッセージをフィードバックする。当該メッセージにはネットワーク状態情報が埋め込まれる。
【０１６８】
ステップ６において、ＵＥは、ネットワーク状態情報及びＡＮＤＳＦポリシーに基づき、修正されたｒｏｕｔｉｎｇ ｒｕｌｅが適合するか否かを照合する。修正されたｒｏｕｔｉｎｇ ｒｕｌｅがＡＮＤＳＦポリシーに適合すれば認めるが、適合しなければ、断る。
【０１６９】
ステップ７ないしステップ１０において、ステップ２-５と類似し、ＵＥは、ネットワークに、修正されたｒｏｕｔｉｎｇ ｒｕｌｅをみとめるかまたは当該修正されたｒｏｕｔｉｎｇ ｒｕｌｅを断るとの指示を出し、ネットワークはＵＥに確認を求める。
【０１７０】
ステップ１１において、ｎｏｎ−３ＧＰＰアクセス側のリソースの確立/解放を行う。
【０１７１】
ステップ１２において、３ＧＰＰアクセス側的リソースの確立/解放を行う。
【０１７２】
実施例二
本実施例のＵＥはＩＦＯＭを開始させ（ＵＥ−ｉｎｉｔｉａｔｅｄ ＩＦＯＭ）、かつＳ２ａ−ＧＴＰに基づいてＵＥとネットワーク側の協議を実現する。具体的に図５に示すように以下のステップ達を備える。
【０１７３】
ステップ１において、ＵＥは、３ＧＰＰアクセス及びｎｏｎ−３ＧＰＰアクセスへ同時に接続し、ｒｏｕｔｉｎｇ ｒｕｌｅに基づき、ＩＰフローは、３ＧＰＰアクセス及びｎｏｎ−３ＧＰＰアクセスにより伝送される。
【０１７４】
ステップ２において、ＵＥは、ＷＬＡＮ制御プロトコル（ＷＬＡＮ  Ｃｏｎｔｒｏｌ  Ｐｒｏｔｏｃｏｌ，ＷＬＣＰ）メッセージにより、ＴＷＡＧにアップデートされたｒｏｕｔｉｎｇ ｒｕｌｅを示す。
【０１７５】
ステップ３において、ＴＷＡＧは、ＧＴＰメッセージにより、ＰＧＷにアップデートされたｒｏｕｔｉｎｇ ｒｕｌｅを示す。
【０１７６】
４、ＰＧＷは、ＰＣＲＦエンティティと交換し、ＰＣＲＦエンティティにアップデートされたｒｏｕｔｉｎｇ ｒｕｌｅを提供する。ＰＣＲＦは、アクセスネットワークの状態メッセージ/ＩＰフローの特性メッセージに基づき、アップデートされたｒｏｕｔｉｎｇ ｒｕｌｅが適合するか否かを判断する。本実施例に係るＰＣＲＦエンティティは適合すると判断して、ＰＧＷに確認を求める。
【０１７７】
ステップ５ないしステップ６において、ＰＧＷは、当該ＰＣＲＦエンティティがアップデートされたｒｏｕｔｉｎｇ ｒｕｌｅを認めることをＴＷＡＧに通知する。
【０１７８】
ステップ７において、ＴＷＡＧはWLCPメッセージにより、当該ＰＣＲＦエンティティがアップデートされたｒｏｕｔｉｎｇ ｒｕｌｅを認めることをＵＥに通知する。
【０１７９】
ステップ８において、TWANと関連するリソース修正を行う。
【０１８０】
ステップ９において、３ＧＰＰ側のリソースの確立または修正を行う。
【０１８１】
実施例三
本実施例のＮｅｔｗｏｒｋがＩＦＯＭを開始させ（Ｎｅｔｗｏｒｋ−ｉｎｉｔｉａｔｅｄ ＩＦＯＭ）、ＤＳＭＩＰｖ６に基づいてＵＥとネットワーク側の協議を実現する。具体的には図６に示すように、以下のステップ達を備える。
【０１８２】
ステップ１において、ＵＥは、３ＧＰＰアクセス及びｎｏｎ−３ＧＰＰアクセスへ同時に接続し、ｒｏｕｔｉｎｇ ｒｕｌｅに基づき、ＩＰフローは、３ＧＰＰアクセス及びｎｏｎ−３ＧＰＰアクセスにより伝送される。
【０１８３】
ステップ２において、ＰＣＲＦエンティティは、ＩＰフローの特性メッセージ/アクセスネットワークの状態メッセージに基づき、アップデートｒｏｕｔｉｎｇ ｒｕｌｅを决定し、ＰＣＲＦエンティティは、ＰＧＷにアップデートされたｒｏｕｔｉｎｇ ｒｕｌｅを送信する。
【０１８４】
ステップ３において、ＰＧＷは、ＵＥにアップデートされたｒｏｕｔｉｎｇ ｒｕｌｅを送信する。
【０１８５】
ステップ４おいて、ＵＥは、アクセスネットワークの状態メッセージ/ＩＰフローの特性情報及びＡＮＤＳＦポリシーに基づき、ＰＣＲＦエンティティアップデートされたｒｏｕｔｉｎｇ ｒｕｌｅが適合するか否かを判断する。本実施例において、ＵＥは適合と判断してＰＧＷに確認を求める。
【０１８６】
ステップ５ないしステップ６において、ＵＥは、当該ＵＥがアップデートされたｒｏｕｔｉｎｇ ｒｕｌｅを認めることをネットワークに通知する。
【０１８７】
ステップ７ないしステップ８において、３ＧＰＰアクセス及び非３ＧＰＰアクセスと関連するリソース処理を行う。
【０１８８】
実施例四
本実施例のＮｅｔｗｏｒｋがＩＦＯＭを開始させ（Ｎｅｔｗｏｒｋ−ｉｎｉｔｉａｔｅｄ ＩＦＯＭ）、Ｓ２ａに基づいてＵＥとネットワーク側の協議を実現する。具体的には図７に示すように、以下のステップ達を備える。
【０１８９】
ステップ１において、ＵＥは、３ＧＰＰアクセス及びｎｏｎ−３ＧＰＰアクセスへ同時に接続し、ｒｏｕｔｉｎｇ ｒｕｌｅに基づき、ＩＰフローは、３ＧＰＰアクセス及びｎｏｎ−３ＧＰＰアクセスにより伝送される。
【０１９０】
ステップ２において、ＰＣＲＦエンティティは、ＩＰフローの特性メッセージ/アクセスネットワークの状態メッセージに基づき、アップデートｒｏｕｔｉｎｇ ｒｕｌｅを决定する。
【０１９１】
ステップ３ないしステップ６において、ＰＣＲＦエンティティは、アップデートされたｒｏｕｔｉｎｇ ｒｕｌｅ和ＩＰフローの特性メッセージ/アクセスネットワークの状態メッセージをＰＧＷに送信する。ＰＧＷは、ＳＧＷ及びＭＭＥを介してＵＥに送信する。
【０１９２】
ステップ７において、ＵＥは、ＩＰフローの特性メッセージ/アクセスネットワークの状態メッセージ及びＡＮＤＳＦポリシーに基づき、ＰＣＲＦエンティティアップデートされたｒｏｕｔｉｎｇ ｒｕｌｅが適合するか否かを判断する。本実施例において、ＵＥは、当該アップデートされたｒｏｕｔｉｎｇ ｒｕｌｅを認める。
【０１９３】
ステップ８ないしステップ１１において、ＵＥは自分がアップデートされたｒｏｕｔｉｎｇ ｒｕｌｅを認めることをネットワークに通知する。
【０１９４】
１２-１３、ｎｏｎ−３ＧＰＰ及び３ＧＰＰアクセス側的リソースの確立/解放を行う。
【０１９５】
実施例五
本実施例のＮｅｔｗｏｒｋがＩＦＯＭを開始させ（Ｎｅｔｗｏｒｋ−ｉｎｉｔｉａｔｅｄ ＩＦＯＭ）、S２aに基づいてＵＥとネットワーク側の協議を実現する。具体的には図８に示すように、以下のステップ達を備える。
【０１９６】
ステップ１において、ＵＥは、３ＧＰＰアクセス及びｎｏｎ−３ＧＰＰアクセスへ同時に接続し、ｒｏｕｔｉｎｇ ｒｕｌｅに基づき、ＩＰフローは、３ＧＰＰアクセス及びｎｏｎ−３ＧＰＰアクセスにより伝送される。
【０１９７】
ステップ２において、ＰＣＲＦエンティティはＰＧＷにＩＰフローの特性メッセージ/アクセスネットワークの状態を提供する。
【０１９８】
ステップ３ないしステップ６において、ＰＧＷは、ＩＰフローの特性メッセージ/アクセスネットワークの状態アップデートｒｏｕｔｉｎｇ ｒｕｌｅに基づき、かつＳＧＷ及びＭＭＥを介してアップデートされたｒｏｕｔｉｎｇ ｒｕｌｅをＵＥに送信する。
【０１９９】
ステップ７において、ＵＥは、ＩＰフローの特性メッセージ/アクセスネットワークの状態メッセージ及びＡＮＤＳＦポリシーに基づき、ＰＣＲＦエンティティアップデートされたｒｏｕｔｉｎｇ ｒｕｌｅが適合するか否かを判断する。本実施例のＵＥは、当該アップデートされたｒｏｕｔｉｎｇ ｒｕｌｅを認める。
【０２００】
ステップ８ないしステップ１１において、ＵＥは、自分がアップデートされたｒｏｕｔｉｎｇ ｒｕｌｅを認めることをネットワークに通知する。
【０２０１】
ステップ１２ないしステップ１３において、ｎｏｎ−３ＧＰＰ及び３ＧＰＰアクセス側のリソースの確立/解放を行う。
【０２０２】
前述の方法処理はソフトウェアプログラムにより実施してもよい。当該ソフトウェアプログラムは記憶媒体に記憶されることができる。記憶されたソフトウェアプログラムが呼び出される場合、前述の方法ステップを執行する。
【０２０３】
同様な発明思想を踏まえて、本発明に係る実施例は通信装置をさらに提供する。図９に示すように、当該通信装置は、ルーティングルール生成モジュール９１と、通知モジュール９２と、処理モジュール９３とを備える。
【０２０４】
前記ルーティングルール生成モジュール９１は、ＩＦＯＭを開始させる間に、第２通信装置のために、前記第２通信装置により執行されるルーティングルールと異なる第１ルーティングルールを生成する。
【０２０５】
通知モジュール９２は、前記第１ルーティングルールを第２通信装置に通知して、前記第２通信装置が前記第１ルーティングルールを執行するようにリクエストする。
【０２０６】
処理モジュール９３は、前記第２通信装置からフィードバックされたメッセージに基づき、前記第２通信装置が最終的に執行するルーティングルールを決定する。
【０２０７】
本発明に係る実施例において、当該通信装置はＵＥでありかつ第２通信装置はネットワーク装置であり、または、通信装置はネットワーク装置であり、第２通信装置はＵＥである。
【０２０８】
好ましくは、ネットワーク装置は、ＵＥのＰＤＮ接続より固定されたＰＧＷであるか、または、ネットワーク側装置は、ＵＥのＰＤＮ接続より固定されたＰＧＷ及びＰＣＲＦエンティティを備える。
【０２０９】
以下、当該通信装置がＵＥでありかつ第２通信装置がネットワーク装置であり、当該通信装置はネットワーク装置であり、第２通信装置はＵＥであるとの２つの応用シーンそれぞれについて詳細に説明する。
【０２１０】
第１種の応用シーンにおいて、通信装置はＵＥでありかつ第２通信装置はネットワーク装置である。
【０２１１】
当該シーンにおいて、第１種の好適な実施態様として、処理モジュール９３は、在前記第２通信装置からフィードバックされた第１メッセージを受信した後、前記第２通信装置が最終的に執行するルーティングルールを、前記第１ルーティングルールとして決定する。前記第１メッセージは、前記第２通信装置が前記第１ルーティングルールを認めることを、前記通信装置に通知するのに用いられる。
【０２１２】
当該シーンにおいて、第２種の好適な実施態様として、処理モジュール９３は、前記第２通信装置からフィードバックされた第２メッセージを受信し、前記第２メッセージは、前記第２通信装置が前記第１ルーティングルールを認めないことを、前記通信装置に通知するのに用いられる。かつ、前記第２メッセージには現在のネットワークの状態情報及び/または前記ＩＰフローの特性情報が埋め込まれる。前記第２メッセージに埋め込まれた情報に基づき、前記第２通信装置のために、前記第１ルーティングルールと異なる第２ルーティングルールを生成する前記第２ルーティングルールを第２通信装置に通知して、前記第２通信装置が前記第２ルーティングルールを執行するようにリクエストする。前記第２通信装置からフィードバックされた第３メッセージを受信し、前記第２通信装置が最終的に執行するルーティングルールを前記第２ルーティングルールとして決定する。ここで、前記第３メッセージは、前記第２通信装置が前記第２ルーティングルールを認めることを、前記通信装置に通知するのに用いられる。
【０２１３】
当該態様において、処理モジュール９３は、前記第２メッセージに埋め込まれた情報に基づき、前記第２通信装置のために前記第２ルーティングルールを生成するとは、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成することである。
【０２１４】
第２種応用シーンにおいて、当該通信装置はネットワーク装置であり、第２通信装置はＵＥである。
【０２１５】
当該シーンにおいて、ルーティングルール生成モジュール９１は、ＩＦＯＭを開始させる間に、現在のネットワークの状態情報及び/またはＩＰフローの特性情報に基づき、前記第２通信装置のために前記第１ルーティングルールを生成する。
【０２１６】
当該シーンにおいて、通知モジュール９２は、前記第１ルーティングルール及び現在のネットワークの状態情報及び/または前記ＩＰフローの特性情報を、前記第２通信装置に通知する。
【０２１７】
当該シーンにおいて、第１種の好適な実施態様として、処理モジュール９３は、前記第２通信装置からフィードバックされた第１メッセージを受信した後、前記第２通信装置が最終的に執行するルーティングルールを、前記第１ルーティングルールとして決定する。ここで前記第１メッセージは、前記第２通信装置が前記第１ルーティングルールを認めることを、前記通信装置に通知するのに用いられる。
【０２１８】
当該シーンにおいて、第２種の好適な実施態様として、処理モジュール９３は、前記第２通信装置からフィードバックされた第４メッセージを受信し、前記第２通信装置が最終的に執行するルーティングルールを前記第３ルーティングルールとして決定する。前記第４メッセージは、前記第２通信装置が前記第１ルーティングルールを認めないことを、前記通信装置に通知するのに用いられる。前記第４メッセージには前記第２通信装置により生成された第３ルーティングルールが埋め込まれる。
【０２１９】
ここで、前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものである。
【０２２０】
前述のいずれの実施例を踏まえ、前述の通信装置と第２通信装置間の協議を支持するため、本発明に係る実施例はＡＮＤＳＦポリシーをさらに拡張する。以下、詳細に説明する。
【０２２１】
ＡＮＤＳＦポリシーには上り回線のルーティングルールと、下り回線のルーティングルールとを備える。前記上り回線のルーティングルールは、ＵＥ側が一定のＩＰ  ｔｒａｆｆｉｃ  ｆｉｌｔｅｒｓ（トラフィックフィルタ）を満足するアップリンクＩＰフローをルーティングするアクセス技術及び/またはアクセスネットワークを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す。
【０２２２】
及び/または、ＡＮＤＳＦポリシーのルーティングルールには、ＩＰフローが現在のネットワークを経由して伝送されるのに必要とする条件が含まれる。
【０２２３】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０２２４】
同様な発明思想を踏まえ、本発明に係る実施例は、通信装置をさらに提供する。図１０に示すように、当該通信装置は、受信モジュール１０１と、処理モジュール１０２とを備える。
【０２２５】
前記受信モジュール１０１は、第１通信装置から通知された、前記通信装置が現在に執行するルーティングルールと異なる第１ルーティングルールを受信する。
【０２２６】
前記処理モジュール１０２は、一定の条件により、前記第１ルーティングルールを認めるか否かを判断して、前記判断モジュールの判断結果により、前記第１通信装置へ異なるメッセージをフィードバックする。
【０２２７】
本発明に係る実施例において、当該通信装置はネットワーク装置でありかつ第１通信装置はＵＥである。または、当該通信装置はＵＥであり、かつ第１通信装置はネットワーク装置である。
【０２２８】
好ましくは、ネットワーク装置は、ＵＥのＰＤＮ接続より固定されたＰＧＷであるか、または、ネットワーク側装置は、ＵＥのＰＤＮ接続より固定されたＰＧＷ及びＰＣＲＦエンティティを備える。
【０２２９】
以下、当該通信装置がネットワーク装置であり、第１通信装置がＵＥであり、及び通信装置がＵＥであり、第１通信装置がネットワーク装置であるとの２つの応用シーンそれぞれについて詳細に説明する。
【０２３０】
第１種の応用シーンにおいて、当該通信装置はネットワーク装置であり、第１通信装置はＵＥである。
【０２３１】
当該シーンにおいて、処理モジュール１０２は、現在のネットワークの状態情報及び/または前記ＩＰフローの特性情報に基づき、前記第１ルーティングルールを認めるか否かを判断する。
【０２３２】
処理モジュール１０２は、前記第１ルーティングルールを認めると判断した後、前記第１通信装置へ第１メッセージをフィードバックして前記第１ルーティングルールを執行し、前記第１メッセージは、前記通信装置が前記第１ルーティングルールを認めることを、前記第１通信装置に通知するのに用いられる。
【０２３３】
処理モジュール１０２は、前記第１ルーティングルールを認めないと判断した後、前記第１通信装置へ第２メッセージをフィードバックする。前記第２メッセージは、前記通信装置が前記第１ルーティングルールを認めないことを、前記第１通信装置に通知するのに用いられる。前記第２メッセージには現在のネットワークの状態情報及び/または前記ＩＰフローの特性情報が埋め込まれる。
【０２３４】
当該シーンにおいて、受信モジュール１０１は、前記第１通信装置から通知された第２ルーティングルールを受信して前記第２ルーティングルールを執行する。前記第２ルーティングルールは、前記第１通信装置が前記第２メッセージに埋め込まれた情報に基づき、生成されたものである。
【０２３５】
第２種応用シーンにおいて、当該通信装置はＵＥであり、第１通信装置はネットワーク装置である。
【０２３６】
当該シーンにおいて、前記処理モジュール１０２は、現在のネットワークの状態情報及び/またはＩＰフローの特性情報に基づき、前記第１ルーティングルールを認めるか否かを判断する。
【０２３７】
前記処理モジュール１０２は、前記第１ルーティングルールを認めると判断した後、前記第１通信装置へ第１メッセージをフィードバックして前記第１ルーティングルールを執行する。前記第１メッセージは、前記通信装置が前記第１ルーティングルールを認めることを、前記第１通信装置に通知するのに用いられる。
【０２３８】
前記処理モジュール１０２は、前記第１ルーティングルールを認めないと判断した後、現在のネットワークの状態情報及び/またはＩＰフローの特性情報に基づき、自分のために第３ルーティングルールを生成して、前記第３ルーティングルールを執行し、前記第１通信装置に第３メッセージをフィードバックする。前記第３メッセージは、前記通信装置が前記第１ルーティングルールを認めないことを、前記第１通信装置に通知するのに用いられる。前記第３メッセージには前記第３ルーティングルールが埋め込まれる。
【０２３９】
さらに、処理モジュール１０２が、現在のネットワークの状態情報及び/またはＩＰフローの特性情報に基づき、自分のために前記第３ルーティングルールを生成することは、具体的に、ＡＮＤＳＦポリシー、ユーザーの好み、及びロカール操作環境情報のうちの少なくとも１つの情報、及び現在のネットワークの状態情報及び/またはＩＰフローの特性情報に基づき、自分のために前記第３ルーティングルールを生成する。
【０２４０】
前述のいずれの実施例を踏まえ、前述の第１通信装置と当該通信装置間の協議を支持するため、本発明に係る実施例は、ＡＮＤＳＦポリシーをさらに拡張する。以下、詳細に説明する。
【０２４１】
ＡＮＤＳＦポリシーには、上り回線のルーティングルールと、下り回線のルーティングルールとを含む。前記上り回線のルーティングルールは、ＵＥ側が一定のＩＰ  ｔｒａｆｆｉｃ  ｆｉｌｔｅｒｓ（トラフィックフィルタ）を満足するアップリンクＩＰフローをルーティングするアクセス技術及び/またはアクセスネットワークを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す。
【０２４２】
及び/または、ＡＮＤＳＦポリシーのルーティングルールには、ＩＰフローが現在のネットワークを経由して伝送されるのに必要とする条件が含まれる。
【０２４３】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０２４４】
以下、好ましいハードウェア構成を踏まえ、本発明に係る実施例により提供されるＵＥ及びネットワーク装置の構成、処理について説明する。
【０２４５】
図１１に示すように、当該ＵＥは、送受信機１１１と、前記送受信機１１１と接続的する少なくとも１つのプロセッサ１１２とを備える。
【０２４６】
一、ＵＥ-ｉｎｔｉａｔｅｄ ＩＦＯＭ、即ち、ＵＥによりＩＦＯＭを開始させる場合
プロセッサ１１２は、ＩＦＯＭを開始させる間に、ネットワーク装置が現在執行するルーティングルールと異なる第１ルーティングルールを生成し、ネットワーク装置からフィードバックされたメッセージに基づき、ネットワーク装置が最終的に執行するルーティングルールを決定する。
【０２４７】
送受信機１１１は、プロセッサ１１２により生成された第１ルーティングルールを第２通信装置に通知して、第２通信装置が前記第１ルーティングルールを執行するようにリクエストし、ネットワーク装置からフィードバックされたメッセージを受信する。
【０２４８】
さらに、第１種の好適な実施態様として、プロセッサ１１２は、送受信機１１１が前記第２通信装置からフィードバックされた第１メッセージを受信した後、前記第２通信装置が最終的に執行するルーティングルールを、前記第１ルーティングルールとして決定する。前記第１メッセージは、前記第２通信装置が前記第１ルーティングルールを認めることを前記第１通信装置に通知するのに用いられる。
【０２４９】
当該シーンにおいて、第２種の好適な実施態様として、プロセッサ１１２は、送受信機１１１が前記第２通信装置からフィードバックされた第２メッセージを受信した後、前記第２メッセージに埋め込まれた情報に基づき、前記第２通信装置のために、前記第１ルーティングルールと異なる第２ルーティングルールを生成する。前記第２メッセージは、前記第２通信装置が前記第１ルーティングルールを認めないことを前記第１通信装置に通知するのに用いられ、かつ、前記第２メッセージには現在のネットワークの状態情報及び/または前記ＩＰフローの特性情報が埋め込まれる。
【０２５０】
送受信機１１１は、前記第２ルーティングルールを第２通信装置に通知して、前記第２通信装置が前記第２ルーティングルールを執行するようにリクエストする。
【０２５１】
当該態様において、送受信機１１１は、前記第２ルーティングルール第２通信装置に通知した後、前記第２通信装置からフィードバックされた第３メッセージを受信する。前記第３メッセージは、前記第２通信装置が前記第２ルーティングルールを認めることを前記第１通信装置に通知するのにもちいられる。
【０２５２】
プロセッサ１１２は、前記第２通信装置が最終的に執行するルーティングルールを前記第２ルーティングルールとして決定する。
【０２５３】
当該態様において、プロセッサ１１２はが前記第２メッセージに埋め込まれた情報に基づき、前記第２通信装置のために前記第２ルーティングルールを生成するのは、具体的に、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成することである。
【０２５４】
二、Ｎｅｔｗｏｒｋ-ｉｎｔｉａｔｅｄ ＩＦＯＭ、即ちネットワーク装置によりＩＦＯＭを開始させる場合
プロセッサ１１２は、現在のネットワークの状態情報及び/またはＩＰフローの特性情報に基づき、前記第１ルーティングルールを認めるか否かを判断する。
【０２５５】
プロセッサ１１２は、前記第１ルーティングルールを認めると判断した後、前記第１ルーティングルールを執行し、送受信機１０１をトリガーして、前記第１通信装置へ第１メッセージをフィードバックさせる。前記第１メッセージは、前記第２通信装置が前記第１ルーティングルールを認めることを前記第１通信装置に通知するのに用いられる。
【０２５６】
プロセッサ１１２は、前記第１ルーティングルールを認めないと判断した後、現在のネットワークの状態情報及び/またはＩＰフローの特性情報に基づき、自分が所属するＵＥのために第３ルーティングルールを生成して、前記第３ルーティングルールを執行する。また、送受信機１１１が前記第１通信装置へ第３メッセージをフィードバックするようにトリガーする。前記第３メッセージは、前記第２通信装置が前記第１ルーティングルールを認めないことを前記第１通信装置に通知するのに用いられる。前記第３メッセージには前記第３ルーティングルールが埋め込まれる。
【０２５７】
さらに、プロセッサ１１２が現在のネットワークの状態情報及び/またはＩＰフローの特性情報に基づき、自分が所属するＵＥのために前記第３ルーティングルールを生成するのは、ＡＮＤＳＦポリシー、ユーザーの好み、及びロカール操作環境情報のうちの少なくとも１つの情報、及び前記現在のネットワークの状態情報及び/またはＩＰフローの特性情報のために、自分が所属するＵＥのために前記第３ルーティングルールを生成する。
【０２５８】
前述のいずれの実施例を踏まえ、前述のＵＥとネットワーク装置間の協議を支持するため、本発明に係る実施例はＡＮＤＳＦポリシーをさらに拡張する。以下、詳細に説明する。
【０２５９】
ＡＮＤＳＦポリシーには、上り回線のルーティングルールと、下り回線のルーティングルールとが含まれる。前記上り回線のルーティングルールは、ＵＥ側が一定のＩＰ  ｔｒａｆｆｉｃ  ｆｉｌｔｅｒｓ（トラフィックフィルタ）を満足するアップリンクＩＰフローをルーティングするアクセス技術及び/またはアクセスネットワークを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワークを示す。
【０２６０】
及び/または、ＡＮＤＳＦポリシーのルーティングルールには、ＩＰフローが現在のネットワークを経由して伝送されるのに必要とする条件が含まれる。
【０２６１】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０２６２】
図１２に示すように、当該ネットワーク装置は、送受信機１２１と、前記送受信機１２１と接続する少なくとも１つのプロセッサ１２２とを備える。
【０２６３】
一、ＵＥ-ｉｎｔｉａｔｅｄ ＩＦＯＭ、即ちＵＥによりＩＦＯＭを開始させる場合
プロセッサ１２２は、現在のネットワークの状態情報及び/または前記ＩＰフローの特性情報に基づき、前記第１ルーティングルールを認めるか否かを判断する。
【０２６４】
プロセッサ１２２は、前記第１ルーティングルールを認めると判断した後、前記第１ルーティングルールを執行し、送受信機１２１をトリガーして、前記第１通信装置へ第１メッセージをフィードバックさせる。前記第１メッセージは、前記第２通信装置が前記第１ルーティングルールを認めることを前記第１通信装置に通知するのに用いられる。
【０２６５】
プロセッサ１２２は、前記第１ルーティングルールを認めないと判断した後、トリガー送受信機１２１前記第１通信装置へ第２メッセージをフィードバックする。前記第２メッセージは、前記第２通信装置が前記第１ルーティングルールを認めないことを前記第１通信装置に通知するのに用いられ、かつ、前記第２メッセージには現在のネットワークの状態情報及び/または前記ＩＰフローの特性情報が埋め込まれる。
【０２６６】
当該シーンにおいて、送受信機１２１は、前記第１通信装置から通知された第２ルーティングルールを受信する。前記第２ルーティングルールは、前記第１通信装置が前記第２メッセージに埋め込まれた情報に基づき、生成されたものである。
【０２６７】
プロセッサ１２２は、前記第２ルーティングルールを執行する。
【０２６８】
二、Ｎｅｔｗｏｒｋ-ｉｎｔｉａｔｅｄ ＩＦＯＭ、即ち、ネットワーク装置によりＩＦＯＭを開始させる場合
プロセッサ１２２は、ＩＦＯＭを開始させる間に、第２通信装置のために、前記第２通信装置により執行されるルーティングルールと異なる第１ルーティングルールを生成する。また、前記第２通信装置からフィードバックされたメッセージに基づき、前記第２通信装置が最終的に執行するルーティングルールを決定する。
【０２６９】
送受信機１２１は、前記第１ルーティングルールを第２通信装置に通知して、前記第２通信装置が前記第１ルーティングルールを執行するようにリクエストする。
【０２７０】
実施の際、プロセッサ１２２は、ＩＦＯＭを開始させる間に、現在のネットワークの状態情報及び/またはＩＰフローの特性情報に基づき、前記第２通信装置のために前記第１ルーティングルールを生成する。
【０２７１】
実施の際、送受信機１２１は、前記第１ルーティングルール及び現在のネットワークの状態情報及び/または前記ＩＰフローの特性情報を、前記第２通信装置に通知する。
【０２７２】
実施の際、第１種の好適な実施態様として、プロセッサ１２２は、送受信機１２１前記第２通信装置からフィードバックされた第１メッセージを受信した後、前記第２通信装置が最終的に執行するルーティングルールを、前記第１ルーティングルールとして決定する。前記第１メッセージは、前記第２通信装置が前記第１ルーティングルールを認めることを前記第１通信装置に通知するのに用いられる。
【０２７３】
当該シーンにおいて、第２種の好適な実施態様として、送受信機１２１は、前記第２通信装置からフィードバックされた第４メッセージを受信する。前記第４メッセージは、前記第２通信装置が前記第１ルーティングルールを認めないことを前記第１通信装置に通知するのに用いられる。前記第４メッセージには前記第２通信装置により生成された第３ルーティングルールが埋め込まれる。
【０２７４】
プロセッサ１２２は、前記第２通信装置が最終的に執行するルーティングルールを前記第３ルーティングルールとして決定する。
【０２７５】
ここで、前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものである。
【０２７６】
前述のいずれの実施例を踏まえ、前述のＵＥとネットワーク装置の協議を支持するため、本発明に係る実施例は、ＡＮＤＳＦポリシーをさらに拡張する。以下、詳細に説明する。
【０２７７】
ＡＮＤＳＦポリシーには、上り回線のルーティングルールと、下り回線のルーティングルールとが含まれる。前記上り回線のルーティングルールは、ｌＵＥ側が一定のＩＰ  ｔｒａｆｆｉｃ  ｆｉｌｔｅｒｓ（トラフィックフィルタ）を満足するアップリンクＩＰフローをルーティングするアクセス技術及び/またはアクセスネットワーク的上り回線のルーティングルールを示す。前記下り回線のルーティングルールは、ＰＤＮゲートウェイＰＧＷ側が一定のＩＰ  ｔｒａｆｆｉｃ  ｆｉｌｔｅｒｓを満足するダウンリンクＩＰフローをルーティングするアクセス技術及び/またはアクセスネットワーク的下り回線のルーティングルールを示す。
【０２７８】
及び/または、ＡＮＤＳＦポリシーのルーティングルールには、ＩＰフローが現在のネットワークを経由して伝送されるのに必要とする条件が含まれる。
【０２７９】
好ましくは、ＩＰフローが現在のネットワークを経由して伝送されるのに必要とする条件は、満足すべきネットワーク渋滞程度と、満足すべきＩＰフロー遅延と、満足すべきジッタ特性とのうちの少なくとも１つを含む。
【０２８０】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２８１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２８２】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２８３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２８４】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２８５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２８６】
本出願は、２０１４年４月１８日に中国特許局に提出し、出願番号が２０１４１０１５８９５１．１であり、発明名称が「ノード間秘密保持通信方法およびシステム」との中国特許出願を基礎とする優先権を主張し、その開示の総てをここに取り込む。
【図１】
2017511675.tif 000004
【図２】
2017511675.tif 000005
【図３】
2017511675.tif 000006
【図４】
2017511675.tif 000007
【図５】
2017511675.tif 000008
【図６】
2017511675.tif 000009
【図７】
2017511675.tif 000010
【図８】
2017511675.tif 000011
【図９】
2017511675.tif 000012
【図１０】
2017511675.tif 000013
【図１１】
2017511675.tif 000014
【図１２】
2017511675.tif 000015
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
第１通信装置は、インターネットプロトコルフローモビリティ（ＩＦＯＭ）を開始させる間、第２通信装置のために、前記第２通信装置により執行されるルーティングルールと異なる第１ルーティングルールを生成するステップと、
前記第１通信装置は、前記第１ルーティングルールを第２通信装置に通知して、前記第２通信装置が前記第１ルーティングルールを執行するようにリクエストするステップと、
前記第１通信装置は、前記第２通信装置からフィードバックされたメッセージに基づき、前記第２通信装置が最終的に執行するルーティングルールを決定するステップと
を備えることを特徴とするＩＰフロールーティングルールの決定方法。
【請求項２】
前記第１通信装置は、前記第２通信装置からフィードバックされたメッセージに基づき、前記第２通信装置が最終的に執行するルーティングルールを決定するステップは、
前記第１通信装置は、前記第２通信装置からフィードバックされた第１メッセージを受信した後、前記第２通信装置が最終的に執行するルーティングルールを、前記第１ルーティングルールとして決定するステップを備え、
または、
前記第１通信装置は、前記第２通信装置からフィードバックされた第２メッセージを受信するステップと、
前記第１通信装置は、前記第２メッセージに埋め込まれた情報に基づき、前記第２通信装置のために、前記第１ルーティングルールと異なる第２ルーティングルールを生成するステップと、
前記第１通信装置は、前記第２ルーティングルールを第２通信装置に通知して、前記第２通信装置が前記第２ルーティングルールを執行するようにリクエストするステップと、
前記第１通信装置は、前記第２通信装置からフィードバックされた第３メッセージを受信し、前記第２通信装置が最終的に執行するルーティングルールを前記第２ルーティングルールとして決定するステップと、
を備え、
前記第２メッセージは、前記第２通信装置が前記第１ルーティングルールを認めないことを前記第１通信装置に通知するのに用いられ、
前記第２メッセージには現在のネットワークの状態情報及び/または前記ＩＰフローの特性情報が埋め込まれ、
前記第３メッセージは、前記第２通信装置が前記第２ルーティングルールを認めることを前記第１通信装置に通知するのにもちいられ、
前記第１メッセージは、前記第２通信装置が前記第１ルーティングルールを認めることを前記第１通信装置に通知するのに用いられることを特徴とする請求項１に記載のＩＰフロールーティングルールの決定方法。
【請求項３】
前記第１通信装置が、前記第２メッセージに埋め込まれた情報に基づき、前記第２通信装置のために前記第２ルーティングルールを生成するステップは、
前記第１通信装置は、アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成するステップを備えることを特徴とする請求項２に記載のＩＰフロールーティングルールの決定方法。
【請求項４】
第１通信装置が、ＩＦＯＭを開始させる間に、第２通信装置のために、前記第２通信装置により執行されるルーティングルールと異なる第１ルーティングルールを生成するステップは、
前記第１通信装置は、ＩＦＯＭを開始させる間に、現在のネットワークの状態情報及び/またはＩＰフローの特性情報に基づき、前記第２通信装置のために前記第１ルーティングルールを生成するステップを備えることを特徴とする請求項１に記載のＩＰフロールーティングルールの決定方法。
【請求項５】
前記第１通信装置が、前記第２通信装置からフィードバックされたメッセージに基づき、前記第２通信装置が最終的に執行するルーティングルールを決定するステップは、
前記第１通信装置は、前記第２通信装置からフィードバックされた第４メッセージを受信するステップと、
前記第１通信装置は、前記第２通信装置が最終的に執行するルーティングルールを前記第３ルーティングルールとして決定するステップと
を備え、
前記第４メッセージは、前記第２通信装置が前記第１ルーティングルールを認めないことを前記第１通信装置に通知するのに用いられ、前記第４メッセージには前記第２通信装置により生成された第３ルーティングルールが埋め込まれ、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものであることを特徴とする請求項１に記載のＩＰフロールーティングルールの決定方法。
【請求項６】
第２通信装置は、第１通信装置から通知された前記第２通信装置により執行されるルーティングルールと異なる第１ルーティングルールを受信するステップと、
前記第２通信装置は、一定の条件により、前記第１ルーティングルールを認めるか否かを判断するステップと、
前記第２通信装置は、判断結果により、前記第１通信装置へ異なるメッセージをフィードバックするステップと
を備えることを特徴とするＩＰフロールーティングルールの決定方法。
【請求項７】
前記第２通信装置が、一定の条件により、前記第１ルーティングルールを認めるか否かを判断して、判断結果により、前記第１通信装置へ異なるメッセージをフィードバックするするステップは、
前記第２通信装置は、現在のネットワークの状態情報及び/または前記ＩＰフローの特性情報に基づき、前記第１ルーティングルールを認めるか否かを判断するステップと、
前記第１ルーティングルールを認めると判断した後、前記第２通信装置は、前記第１通信装置へ第１メッセージをフィードバックして前記第１ルーティングルールを執行するステップと、前記第１ルーティングルールを認めないと判断した後、前記第２通信装置は、前記第１通信装置へ第２メッセージをフィードバックするか、または、前記第１ルーティングルールを認めないと判断した後、前記第２通信装置は、現在のネットワークの状態情報及び/またはＩＰフローの特性情報に基づき、自分のために第３ルーティングルールを生成して、前記第３ルーティングルールを執行し、前記第１通信装置に第３メッセージをフィードバックするステップと
を備え、
前記第１メッセージは、前記第２通信装置が前記第１ルーティングルールを認めることを前記第１通信装置に通知するのに用いられ、
前記第２メッセージは、前記第２通信装置が前記第１ルーティングルールを認めないことを前記第１通信装置に通知するのに用いられ、
前記第２メッセージには現在のネットワークの状態情報及び/または前記ＩＰフローの特性情報が埋め込まれ、
前記第３メッセージは、前記第２通信装置が前記第１ルーティングルールを認めないことを前記第１通信装置に通知するのに用いられ、
前記第３メッセージには前記第３ルーティングルールが埋め込まれることを特徴とする請求項６に記載のＩＰフロールーティングルールの決定方法。
【請求項８】
前記第２通信装置が、前記第１通信装置へ前記第２メッセージをフィードバックした後、前記方法は、
前記第２通信装置は、前記第１通信装置から通知された第２ルーティングルールを受信して前記第２ルーティングルールを執行するステップをさらに備え、
前記第２ルーティングルールは、前記第１通信装置が前記第２メッセージに埋め込まれた情報に基づき、生成されたものであることを特徴とする請求項７に記載のＩＰフロールーティングルールの決定方法。
【請求項９】
ＩＦＯＭを開始させる間に、第２通信装置のために、前記第２通信装置により執行されるルーティングルールと異なる第１ルーティングルールを生成するルーティングルール生成モジュールと、
前記第１ルーティングルールを第２通信装置に通知して、前記第２通信装置が前記第１ルーティングルールを執行するようにリクエストする通知モジュールと、
前記第２通信装置からフィードバックされたメッセージに基づき、前記第２通信装置が最終的に執行するルーティングルールを決定する処理モジュールと
を備えることを特徴とする通信装置。
【請求項１０】
前記処理モジュールは、前記第２通信装置からフィードバックされた第１メッセージを受信した後、前記第２通信装置が最終的に執行するルーティングルールを、前記第１ルーティングルールとして決定し、
前記第１メッセージは、前記第２通信装置が前記第１ルーティングルールを認めることを、前記通信装置に通知するのに用いられ、
または、
前記処理モジュールは、前記第２通信装置からフィードバックされた第２メッセージを受信し、前記第２メッセージに埋め込まれた情報に基づき、前記第２通信装置のために、前記第１ルーティングルールと異なる第２ルーティングルールを生成し、前記第２ルーティングルールを第２通信装置に通知して、前記第２通信装置が前記第２ルーティングルールを執行するようにリクエストし、また、前記第２通信装置からフィードバックされた第３メッセージを受信し、前記第２通信装置が最終的に執行するルーティングルールを前記第２ルーティングルールとして決定し、
前記第２メッセージは、前記第２通信装置が前記第１ルーティングルールを認めないことを、前記通信装置に通知するのに用いられ、
前記第２メッセージには現在のネットワークの状態情報及び/または前記ＩＰフローの特性情報が埋め込まれ、
前記第３メッセージは、前記第２通信装置が前記第２ルーティングルールを認めることを、前記通信装置に通知するのに用いられることを特徴とする請求項９に記載の通信装置。
【請求項１１】
前記処理モジュールが、前記第２メッセージに埋め込まれた情報に基づき、前記第２通信装置のために前記第２ルーティングルールを生成するのは、
アクセスネットワーク発見及び選択機能（ＡＮＤＳＦ）ポリシー、ユーザーの好み及びロカール操作環境情報のうちの少なくとも１つの情報、及び前記第２メッセージに埋め込まれた情報に基づき、前記第２通信装置のために前記第２ルーティングルールを生成することであることを特徴とする請求項１０に記載の通信装置。
【請求項１２】
前記ルーティングルール生成モジュールは、ＩＦＯＭを開始させる間に、現在のネットワークの状態情報及び/またはＩＰフローの特性情報に基づき、前記第２通信装置のために前記第１ルーティングルールを生成することを特徴とする請求項９に記載の通信装置。
【請求項１３】
前記処理モジュールは、
前記第２通信装置からフィードバックされた第４メッセージを受信し、また、前記第２通信装置が最終的に執行するルーティングルールを前記第３ルーティングルールとして決定し、
前記第４メッセージは、前記第２通信装置が前記第１ルーティングルールを認めないことを、前記通信装置に通知するのに用いられ、
前記第４メッセージには前記第２通信装置により生成された第３ルーティングルールが埋め込まれ、
前記第３ルーティングルールは、前記第２通信装置が前記現在のネットワークの状態情報及び/または前記ＩＰフローの特性情報、及びＡＮＤＳＦポリシー、ユーザーの好み及びロカール操作環境情報のうちの少なくとも１つの情報に基づいて生成されたものであることを特徴とする請求項９に記載の通信装置。
【請求項１４】
第１通信装置から通知された、前記通信装置が現在に執行するルーティングルールと異なる第１ルーティングルールを受信する受信モジュールと、
一定の条件により、前記第１ルーティングルールを認めるか否かを判断して、前記判断モジュールの判断結果により、前記第１通信装置へ異なるメッセージをフィードバックする処理モジュールとを備えることを特徴とする通信装置。
【請求項１５】
前記処理モジュールは、
現在のネットワークの状態情報及び/または前記ＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、
前記第１ルーティングルールを認めないと判断した後、前記第１通信装置へ第２メッセージをフィードバックし、
前記第１メッセージは、前記通信装置が前記第１ルーティングルールを認めることを、前記第１通信装置に通知するのに用いられ、
前記第２メッセージは、前記通信装置が前記第１ルーティングルールを認めないことを、前記第１通信装置に通知するのに用いられ、かつ、前記第２メッセージには現在のネットワークの状態情報及び/または前記ＩＰフローの特性情報が埋め込まれ、
または、
前記処理モジュールは、
現在のネットワークの状態情報及び/またはＩＰフローの特性情報に基づき、前記第１ルーティングルールを認めるか否かを判断し、
前記第１ルーティングルールを認めると判断した後、前記第１通信装置へ第１メッセージをフィードバックして前記第１ルーティングルールを執行し、
前記第１ルーティングルールを認めないと判断した後、前記現在のネットワークの状態情報及び/またはＩＰフローの特性情報に基づき、自分のために第３ルーティングルールを生成して、前記第３ルーティングルールを執行し、前記第１通信装置に第３メッセージをフィードバックし、
前記第１メッセージは、前記通信装置が前記第１ルーティングルールを認めることを、前記第１通信装置に通知するのに用いられ、
前記第３メッセージは、前記通信装置が前記第１ルーティングルールを認めないことを、前記第１通信装置に通知するのに用いられ、かつ前記第３メッセージには前記第３ルーティングルールが埋め込まれることを特徴とする請求項１４に記載の通信装置。
【請求項１６】
前記受信モジュールは、前記第１通信装置から通知された第２ルーティングルールを受信して前記第２ルーティングルールを執行し、
前記第２ルーティングルールは、前記第１通信装置が前記第２メッセージに埋め込まれた情報に基づき、生成されたものであることを特徴とする請求項１５に記載の通信装置。
【国際調査報告】
2017511675.tif 000016
2017511675.tif 000017
2017511675.tif 000018
2017511675.tif 000019